(57)【要約】  基地局（ＡＮ）と端末（ＡＴ）との間のセッションの設定／更新／削除の際に、反復されるネゴシエーション手順を簡素化できるＡＮとＡＴとの間のセッションをネゴシエーションする方法、装置、及びシステムを提供する。ＡＮは、セッション設定のためのＡＴとのプロトコル別ネゴシエーションを遂行した後、他のセッション設定が付加されるか否かを示す継続ビットを含むソフト設定完了メッセージをＡＴへ送信する。すべてのセッション設定が完了した場合、ＡＮ及びＡＴは、現在使用中のセッション設定が変更されたか否かを確認する。使用中のセッション設定が変更されない場合、ＡＮ及びＡＴは、物理チャンネルを維持する。さらに、ＡＮは、セッション設定のネゴシエーションが完了した後、特定のセッション設定が適用されるか否かを示す情報を送信する。
2008523657.tif 000002
【特許請求の範囲】
【請求項１】
高速パケットデータシステムの基地局でセッション設定のネゴシエーションを遂行する方法であって、
セッション設定のための端末とのプロトコル別ネゴシエーションを遂行するステップと、
付加的なセッション設定が要求されるか否かを示すセッション設定継続ビットと適用されるセッション設定の特性識別子を指示するセッション設定トークンフィールドとを構成するソフト設定完了メッセージを前記端末へ送信するステップと、
すべてのセッション設定が完了した場合、現在使用中のセッション設定が変更されたか否かを確認するステップと、
前記現在使用中のセッション設定が変更されなかった場合、前記端末と関連した物理チャンネルを維持するステップと
を具備することを特徴とする方法。
【請求項２】
前記セッション設定が変更されたか否かを確認するステップは、
前記ソフト設定完了メッセージのセッション設定トークンによって指示される前記特性識別子が現在使用中のセッションの前記特性識別子と同一であるか否かを確認するステップを具備することを特徴とする請求項１記載の方法。
【請求項３】
前記セッション設定が変更されたか否かを確認するステップは、
前記現在使用中のセッション設定の特性が以前のセッションネゴシエーション過程で更新されたか否かを確認するステップを具備することを特徴とする請求項１記載の方法。
【請求項４】
前記セッション設定が変更されたか否かを確認するステップは、
前記基地局が以前のセッション設定の復元に対して、前記端末とのネゴシエーションを行ったか否かを確認するステップを具備することを特徴とする請求項１記載の方法。
【請求項５】
前記現在使用中のセッション設定が変更された場合、前記物理チャンネルを解除するステップと、
前記ソフト設定完了メッセージの前記セッション設定トークンフィールドと関連した、変更されたセッション設定を適用するステップをさらに具備することを特徴とする請求項１記載の方法。
【請求項６】
高速パケットデータシステムの端末でセッション設定のネゴシエーションを遂行する方法であって、
セッション設定のための基地局とのプロトコル別ネゴシエーションを遂行するステップと、
付加的なセッション設定が要求されるか否かを示すセッション設定継続ビットと適用されるセッション設定の特性識別子を指示するセッション設定トークンフィールドとを構成するソフト設定完了メッセージを前記基地局から受信するステップと、
すべてのセッション設定が完了した場合、現在使用中のセッション設定が変更されたか否かを確認するステップと、
前記現在使用中のセッション設定が変更されなかった場合、前記基地局と関連した物理チャンネルを維持するステップと
を具備することを特徴とする方法。
【請求項７】
前記セッション設定が変更されたか否かを確認するステップは、
前記ソフト設定完了メッセージのセッション設定トークンによって指示される前記特性識別子が現在使用中のセッションの前記特性識別子と同一であるか否かを確認するステップを具備することを特徴とする請求項６記載の方法。
【請求項８】
前記セッション設定が変更されたか否かを確認するステップは、
前記現在使用中のセッション設定の特性が以前のセッションネゴシエーション過程で更新されたか否かを確認するステップを具備することを特徴とする請求項６記載の方法。
【請求項９】
前記セッション設定が変更されたか否かを確認するステップは、
前記端末が以前のセッション設定の復元に対して、前記基地局とのネゴシエーションを行ったか否かを確認するステップを具備することを特徴とする請求項６記載の方法。
【請求項１０】
前記現在使用中のセッション設定が変更された場合、前記物理チャンネルを解除するステップと、
前記ソフト設定完了メッセージの前記セッション設定トークンフィールドと関連した、変更されたセッション設定を適用するステップをさらに具備することを特徴とする請求項６記載の方法。
【請求項１１】
高速パケットデータシステムの基地局でセッション設定のネゴシエーションを遂行する方法であって、
セッション設定のための端末とのプロトコル別ネゴシエーションを遂行するステップと、
すべてのセッション設定が完了した場合、新たなセッションが適用されるか否かを示すセッションコミットビットを構成するソフト設定完了メッセージを前記端末へ送信するステップと
を具備することを特徴とする方法。
【請求項１２】
前記ソフト設定完了メッセージは、付加的なセッション設定が要求されるか否かを示すセッション設定継続ビットをさらに具備することを特徴とする請求項１１記載の方法。
【請求項１３】
前記セッションコミットビットは、前記セッション設定継続ビットが付加的なセッション設定が要求されることを示す場合、省略されることを特徴とする請求項１２記載の方法。
【請求項１４】
前記セッションコミットビットは、現在使用中のセッション設定が変更された場合、前記新たなセッションが適用されることを示すように設定されることを特徴とする請求項１１記載の方法。
【請求項１５】
前記セッションコミットビットは、前記ソフト設定完了メッセージのセッション設定トークンによって指示される特性識別子が現在使用中のセッションの特性識別子とは異なる場合、前記新たなセッションが適用されることを示すように設定されることを特徴とする請求項１１記載の方法。
【請求項１６】
前記セッションコミットビットは、現在使用中のセッション設定の特性が以前のセッションネゴシエーション過程で更新された場合、前記新たなセッションが適用されることを示すように設定されることを特徴とする請求項１１記載の方法。
【請求項１７】
前記セッションコミットビットは、前記端末が以前のセッション設定の復元に対して、前記基地局とのネゴシエーションを行った場合、前記新たなセッションが適用されることを示すように設定されることを特徴とする請求項１１記載の方法。
【請求項１８】
前記ソフト設定完了メッセージは、前記セッションコミットビットが前記新たなセッションが適用されることを示すように設定される場合、適用されるセッション設定の特性識別子を指示するセッション設定トークンフィールドをさらに具備することを特徴とする請求項１１記載の方法。
【請求項１９】
前記セッション設定トークンフィールドは、適用される前記セッション設定の特性識別子を最上位４ビットに含むことを特徴とする請求項１８記載の方法。
【請求項２０】
前記セッションコミットビットが前記新たなセッションの適用を指示する場合、前記端末と関連した物理チャンネルを解除するステップと、
前記セッション設定トークンにマッピングされるセッション設定を適用するステップと
をさらに具備することを特徴とする請求項１８記載の方法。
【請求項２１】
前記セッションコミットビットが現在使用中のセッションの維持を示す場合、前記端末と関連した物理チャンネルを維持するステップをさらに具備することを特徴とする請求項１１記載の方法。
【請求項２２】
高速パケットデータシステムの端末でセッション設定のネゴシエーションを遂行する方法であって、
セッション設定のための基地局とのプロトコル別ネゴシエーションを遂行するステップと、
すべてのセッション設定が完了した場合、新たなセッションが適用されるか否かを示すセッションコミットビットを構成するソフト設定完了メッセージを前記基地局から受信するステップと
を具備することを特徴とする方法。
【請求項２３】
前記ソフト設定完了メッセージは、付加的なセッション設定が要求されるか否かを示すセッション設定継続ビットをさらに具備することを特徴とする請求項２２記載の方法。
【請求項２４】
前記セッションコミットビットは、前記セッション設定継続ビットが付加的なセッション設定が要求されることを示す場合、省略されることを特徴とする請求項２３記載の方法。
【請求項２５】
前記ソフト設定完了メッセージは、前記セッションコミットビットが前記新たなセッションが適用されることを示すように設定される場合、適用されるセッション設定の特性識別子を指示するセッション設定トークンフィールドをさらに具備することを特徴とする請求項２２記載の方法。
【請求項２６】
前記セッション設定トークンフィールドは、適用される前記セッション設定の特性識別子を最上位４ビットに含むことを特徴とする請求項２５記載の方法。
【請求項２７】
前記セッションコミットビットが前記新たなセッションの適用を指示する場合、前記基地局と関連した物理チャンネルを解除するステップと、
前記セッション設定トークンにマッピングされるセッション設定を適用するステップと
をさらに具備することを特徴とする請求項２５記載の方法。
【請求項２８】
前記セッションコミットビットが現在使用中のセッションの維持を示す場合、前記基地局と関連した物理チャンネルを維持するステップをさらに具備することを特徴とする請求項２２記載の方法。
【請求項２９】
高速パケットデータシステムにおける基地局と端末との間のセッション設定のネゴシエーションを遂行する方法であって、
前記基地局と前記端末との間のセッション設定のためのプロトコル別ネゴシエーションを遂行するステップと、
すべてのセッション設定が完了した場合、新たなセッションが前記基地局に適用されるか否かを示すセッションコミットビットを構成するソフト設定完了メッセージを前記端末へ送信するステップと、
前記基地局及び前記端末が、前記ソフト設定完了メッセージのセッションコミットビットを根拠にして、物理チャンネルを維持するか否かを決定するステップと
を具備することを特徴とする方法。
【請求項３０】
高速パケットデータシステムにおける基地局と端末との間のセッション設定を削除する方法であって、
前記基地局及び前記端末のうちの送信側から削除されるセッション設定を指示する特性識別子を具備する所定のセッション削除メッセージを受信側へ送信するステップと、
前記セッション削除メッセージを受信した前記受信側の前記特性識別子にマッピングされるセッション設定を削除するステップと
を具備することを特徴とする方法。
【請求項３１】
前記セッション削除メッセージは、削除されるセッション設定の個数を示すフィールドをさらに具備することを特徴とする請求項３０記載の方法。
【請求項３２】
前記セッション削除メッセージを受信した前記受信側から前記送信側へ確認メッセージを送信するステップと、
前記確認メッセージを受信した送信側の該当セッション設定を削除するステップとをさらに具備することを特徴とする請求項３０記載の方法。
【請求項３３】
高速パケットデータシステムにおける基地局と端末との間のセッション設定を更新する方法であって、
前記基地局及び前記端末のうちの送信側で修正される特定のセッション設定の該当パラメータを使用するプロトコルの設定インスタンスの生成／活性化を行うステップと、
前記基地局及び前記端末のうちの受信側が該当設定インスタンスの生成／活性化を行うメッセージを前記送信側から受信するステップと、
前記基地局及び前記端末が該当プロトコルで定義されたパラメータネゴシエーションのためのメッセージを用いて更新されるパラメータ値のネゴシエーションを遂行するステップと、
前記基地局及び前記端末が更新されたパラメータ値及び該当セッション設定の他のパラメータを該当セッション設定の特性識別子に格納するステップと
を具備することを特徴とする方法。
【請求項３４】
高速パケットデータシステムにおける基地局と端末との間のセッション設定を更新する方法であって、
前記基地局と前記端末のうちの送信側から特定の設定属性を更新する要求を他側へ送信するステップと、
前記設定属性が前記更新要求を受信した受信側で使用されるか否かを決定して、前記更新要求に対する応答を前記送信側へ送信するステップと、
前記更新要求を受信した受信側が前記設定属性の使用を受諾する場合、前記基地局及び前記端末のすべてに前記更新された設定属性を適用するステップと
を具備することを特徴とする方法。
【請求項３５】
高速パケットデータシステムにおける基地局と端末との間のセッション設定を更新する場合、更新要求を送信する送信側でセッション設定を更新する方法であって、
更新される前記セッション設定の特定の設定属性を示す所定の設定特性更新要求メッセージを受信側へ送信するステップと、
前記更新要求を受信した受信側から前記設定属性が使用されるか否かを示す応答を受信するステップと、
前記受信側が前記設定属性の使用を受諾する場合、更新された設定属性を適用するステップと
を具備することを特徴とする方法。
【請求項３６】
所定の待機時間の間に、前記更新要求を受信した受信側から前記更新要求に対する応答が受信されない場合、前記設定属性を放棄するか否かを決定するステップをさらに具備することを特徴とする請求項３５記載の方法。
【請求項３７】
前記受信側が前記設定属性の使用を拒否する場合、既存の設定属性を維持するステップをさらに具備することを特徴とする請求項３５記載の方法。
【請求項３８】
高速パケットデータシステムにおける基地局と端末との間のセッション設定を更新する場合、更新要求を受信する受信側でセッション設定を更新する方法であって、
更新される前記セッション設定の特定の設定属性を示す所定の設定特性更新要求メッセージを受信するステップと、
前記設定属性が前記設定特性更新要求メッセージを送信した送信側に使用されるか否かを示す応答を送信するステップと、
前記受信側が前記設定属性の使用を受諾した場合、更新された設定属性を適用するステップと
を具備することを特徴とする方法。
【請求項３９】
前記受信側が前記設定属性の使用を拒否した場合、既存の設定属性を維持するステップをさらに具備することを特徴とする請求項３８記載の方法。
【請求項４０】
基地局と端末との間の少なくとも一つのセッション設定のネゴシエーションを行う高速パケットデータシステムであって、
プロトコル別に前記少なくとも一つのセッション設定を前記端末とネゴシエーションし、すべてのセッション設定が完了した場合、現在使用中のセッション設定が変更されたか否かを確認し、付加的なセッション設定が要求されるか否かを示すセッション設定継続ビットと適用されるセッション設定の特性識別子を指示するセッション設定トークンフィールドとを構成するソフト設定完了メッセージを前記端末へ送信する基地局と、
前記プロトコル別に前記基地局と複数のセッション設定のネゴシエーションを行う端末とを具備し、
現在使用中の前記セッションが変更されなかった場合、前記基地局と前記端末との間で、現在設定されている物理チャンネルが維持されることを特徴とするシステム。
【請求項４１】
高速パケットデータシステムにおける少なくとも一つの端末と通信するためにセッション設定のネゴシエーションを行う基地局装置であって、
前記少なくとも一つの端末と無線信号を送受信する基地局送受信器を制御する基地局制御器を含み、
前記基地局制御器は、前記少なくとも一つの端末と少なくとも一つのセッション設定に対するネゴシエーションを行った後、すべてのセッション設定が完了した場合、新たなセッションが適用されるか否かを示すセッションコミットビットを構成する所定のソフト設定完了メッセージを前記少なくとも一つの端末へ送信し、現在のセッション設定が継続して使用される場合、前記少なくとも一つの端末と関連した事前に設定された物理チャンネルを維持する制御手段を具備することを特徴とする基地局装置。
【請求項４２】
前記ソフト設定完了メッセージは、前記すべてのセッション設定が完了した場合に使用されるセッション設定の特性識別子を指示するセッション設定トークンフィールドをさらに具備することを特徴とする請求項４１記載の基地局装置。
【請求項４３】
前記セッションコミットビットは、前記セッション設定継続ビットが付加的なセッション設定が要求されることを示す場合、省略されることを特徴とする請求項４１記載の基地局装置。
【請求項４４】
前記セッションコミットビットは、現在使用中のセッション設定が変更された場合、前記新たなセッションが適用されることを示すように設定されることを特徴とする請求項４１記載の基地局装置。
【請求項４５】
前記セッション設定トークンフィールドは、適用される前記セッション設定の特性識別子を最上位４ビットに含むことを特徴とする請求項４３記載の基地局装置。
【請求項４６】
前記セッションコミットビットが前記新たなセッションの適用を指示する場合、前記制御手段は、前記端末と関連した物理チャンネルを解除し、前記セッション設定トークンにマッピングされるセッション設定を適用することを特徴とする請求項４５記載の基地局装置。
【請求項４７】
前記制御手段は、１ｘＥＶ−ＤＯ網の基地局制御器に備えられるセッション制御及び移動性管理部を具備することを特徴とする請求項４４記載の基地局装置。
【請求項４８】
前記制御手段は、１ｘＥＶ−ＤＯ網のパケット制御部に備えられるセッション制御及び移動性管理部を具備することを特徴とする請求項４４記載の基地局装置。
【請求項４９】
高速パケットデータシステムにおける基地局と通信するために、セッション設定のネゴシエーションを行う端末装置であって、
前記基地局と送受信される無線周波数信号の周波数変換のための無線周波数処理部と、
前記基地局と送受信されるメッセージの基底帯域信号を処理する変調復調部と、
前記基地局と少なくとも一つのセッション設定に対するネゴシエーションを行った後、すべてのセッション設定が完了した場合、新たなセッション設定が適用されるか否かを示すセッションコミットビットを構成する所定のソフト設定完了メッセージを前記基地局から受信し、前記セッションコミットビットを検査した結果に従って、現在のセッション設定が継続して使用される場合、前記基地局と関連した事前に設定された物理チャンネルを維持する制御器と
を具備することを特徴とする端末装置。
【請求項５０】
前記ソフト設定完了メッセージは、前記すべてのセッション設定が完了した場合に使用されるセッション設定の特性識別子を指示するセッション設定トークンフィールドをさらに具備することを特徴とする請求項４９記載の端末装置。
【請求項５１】
前記セッションコミットビットが前記新たなセッションの適用を指示する場合、前記制御器は、前記基地局と関連した物理チャンネルを解除し、前記セッション設定トークンにマッピングされるセッション設定を適用することを特徴とする請求項５０記載の端末装置。
【請求項５２】
高速パケットデータシステムにおける少なくとも一つの基地局と通信するために、セッション設定のネゴシエーションを行う基地局装置であって、
前記少なくとも一つの端末と無線信号を送受信する基地局送受信器を制御する基地局制御器を含み、
前記基地局制御器は、前記少なくとも一つの端末と少なくとも一つのセッション設定に対するネゴシエーションを行った後、削除される前記少なくとも一つのセッション設定が少なくとも一つのセッション設定に存在する場合、削除される前記少なくとも一つのセッション設定を指示する特性識別子が含まれた所定のセッション削除メッセージを前記少なくとも一つの端末へ送信し、前記指示された少なくとも一つのセッション設定をメモリから削除する制御手段を具備することを特徴とする基地局装置。
【請求項５３】
前記制御手段は、前記少なくとも一つの端末から前記セッション削除メッセージに対する応答メッセージを受信した後、前記削除を行うことを特徴とする請求項５２記載の基地局装置。
【請求項５４】
高速パケットデータシステムにおける基地局と通信するためにセッション設定のネゴシエーションを行う端末装置であって、
前記基地局と送受信される無線周波数信号の周波数変換のための無線周波数処理部と、
前記基地局と送受信されるメッセージの基底帯域信号を処理する変調復調部と、
前記基地局と少なくとも一つのセッション設定に対するネゴシエーションを行った後、削除される少なくとも一つのセッション設定を指示する特性識別子を構成する所定のセッション削除メッセージを前記基地局から受信した場合、前記指示された少なくとも一つのセッション設定をメモリから削除する制御器と
を具備することを特徴とする端末装置。
【請求項５５】
前記制御器は、前記セッション削除メッセージに対する応答メッセージを前記基地局へ送信することを特徴とする請求項５４記載の端末装置。
【請求項５６】
高速パケットデータシステムにおける少なくとも一つの受信器と通信するためにセッション設定のネゴシエーションを行う送信装置であって、
前記少なくとも一つの受信器とデータを送受信する通信インターフェースと、
前記通信インターフェースを介して前記少なくとも一つの受信器と少なくとも一つのセッション設定に対するネゴシエーションを行った後、更新される特定のセッション設定のパラメータが生成された場合、該当プロトコルの設定インスタンスの生成／活性化を行う所定の設定インスタンス活性化メッセージを前記少なくとも一つの受信器へ送信する制御手段と
を具備することを特徴とする送信装置。
【請求項５７】
前記制御手段は、前記受信器が前記設定インスタンス活性化メッセージを受信した後、所定のパラメータネゴシエーションのためのメッセージを用いて前記少なくとも一つの受信器と更新ターゲットパラメータ値をネゴシエーションすることを特徴とする請求項５６記載の送信装置。
【請求項５８】
前記制御手段は、前記更新ターゲットパラメータ値のネゴシエーションが完了した場合、ネゴシエーションされたパラメータ及び該当セッション設定の他のパラメータを該当特性識別子に格納することを特徴とする請求項５６記載の送信装置。
【請求項５９】
高速パケットデータシステムにおける少なくとも一つの送信器と通信するためにセッション設定のネゴシエーションを行う受信装置であって、
前記少なくとも一つの送信器とデータを送受信する通信インターフェースと、
前記通信インターフェースを介して前記少なくとも一つの送信器と少なくとも一つのセッション設定に対するネゴシエーションを行った後、特定のセッション設定の特定のパラメータを更新するために、該当プロトコルの設定インスタンスの生成／活性化を行うように要求する所定の設定インスタンス活性化メッセージを前記少なくとも一つの送信器から受信した場合、前記少なくとも一つの送信器と更新ターゲットパラメータ値をネゴシエーションする制御手段と
を具備することを特徴とする受信装置。
【請求項６０】
前記制御手段は、前記更新ターゲットパラメータ値のネゴシエーションが完了した場合、ネゴシエーションされたパラメータ及び該当セッション設定の他のパラメータを該当特性識別子に格納することを特徴とする請求項５９記載の受信装置。
【請求項６１】
高速パケットデータシステムにおける少なくとも一つの受信器と通信するためにセッション設定のネゴシエーションを行う送信装置であって、
前記少なくとも一つの受信器とデータを送受信する通信インターフェースと、
前記通信インターフェースを介して前記少なくとも一つの受信器と少なくとも一つのセッション設定に対するネゴシエーションを行った後、更新される特定のセッション設定の特定のパラメータが生成された場合、該当パラメータを更新する要求と関連した設定属性値が含まれた所定の設定特性更新要求メッセージを前記少なくとも一つの受信器へ送信し、前記少なくとも一つの受信器から応答メッセージを受信して、前記設定属性値を更新するか否かを決定する制御手段と
を具備することを特徴とする送信装置。
【請求項６２】
前記制御手段は、前記設定属性値の更新を受諾する所定の更新受諾メッセージに該当する前記応答メッセージを受信した場合、前記設定属性値を更新することを特徴とする請求項６１記載の送信装置。
【請求項６３】
前記制御手段は、前記設定属性値の更新を拒否する所定の更新拒否メッセージに該当する前記応答メッセージを受信した場合、既存の設定属性値を継続して使用することを特徴とする請求項６１記載の送信装置。
【請求項６４】
高速パケットデータシステムにおける少なくとも一つの送信器と通信するためにセッション設定のネゴシエーションを行う受信装置であって、
前記少なくとも一つの送信器とデータを送受信する通信インターフェースと、
前記通信インターフェースを介して前記少なくとも一つの送信器と少なくとも一つのセッション設定に対するネゴシエーションを行った後、更新される特定のセッション設定の特定のパラメータが生成された場合、該当パラメータを更新する要求と関連した設定属性値が含まれた所定の設定特性更新要求メッセージを前記少なくとも一つの送信器から受信する場合、前記設定属性値を更新するか否かを示す応答メッセージを前記少なくとも一つの送信器へ送信する制御手段と
を具備することを特徴とする受信装置。
【請求項６５】
前記制御手段は、前記設定属性値を更新する場合、前記設定属性値の更新を受諾する所定の更新受諾メッセージに該当する前記応答メッセージを送信することを特徴とする請求項６４記載の受信装置。
【請求項６６】
前記制御手段は、既存の設定属性値を継続して使用する場合、前記設定属性値の更新を拒否する所定の更新拒否メッセージに該当する前記応答メッセージを送信することを特徴とする請求項６４記載の受信装置。
【発明の詳細な説明】
【技術分野】
【０００１】
本発明は、移動通信システムにおける基地局と端末との間のネゴシエーションのための方法、装置、及びシステムに関し、特に、基地局と端末との間のセッション設定／更新／削除の際に反復されるネゴシエーション手順を簡素化できる基地局と端末との間のセッションをネゴシエーションする方法、装置、及びシステムに関する。 
【背景技術】
【０００２】
移動通信網は、通信技術の急激な発展に伴って、従来の音声サービスだけでなく、電子メール、静止画像、及び動画像などのようなマルチメディアサービスが可能な高速データサービスを提供している。そして、高速データサービスを支援する従来の移動通信システムは、符号分割多元接続２０００ １ｘ（ＣＤＭＡ２０００ １ｘ）と、１ｘＥＶ−ＤＯ（Evolution Data Only）と、１ｘＥＶ−ＤＶ（Evolution for Data & Voice）と、非同期方式のＵＭＴＳ（Universal Mobile Telecommunication Systems）とを含む。このような移動通信システムは、高速データ送信のためのチャンネル構成を有している。
【０００３】
このような移動通信システムのうち、１ｘＥＶ−ＤＯシステムは、ＩＳ−２０００システムのデータ通信の向上のために、３ＧＰＰ２（3rd Generation Partnership Project 2）で提案された高速パケットデータシステムである。
【０００４】
１ｘＥＶ−ＤＯシステムにおいて、基地局（access network：ＡＮ） から端末（access terminal：ＡＴ）へ送信される順方向物理チャンネルは、パイロット（Pilot）チャンネルと、順方向媒体アクセス制御（Medium Access Control：ＭＡＣ）チャンネルと、順方向トラフィックチャンネル（forward traffic channel）と、順方向制御チャンネルとを含む。上記順方向物理チャンネルは、時分割多重（Time Division Multiplexing：ＴＤＭ）方式にて端末へ送信される。ユーザデータパケットは、上記順方向物理チャンネルのうち、順方向トラフィックチャンネルを介して送信される。制御メッセージ及びカプセル化されたユーザデータパケットは、共通チャンネルに該当する順方向制御チャンネルを介して送信される。そして、上記順方向ＭＡＣチャンネルは、逆方向送信率制御情報及び電力制御情報などを送信するのに使用される。
【０００５】
また、１ｘＥＶ−ＤＯシステムにおいて、ＡＴからＡＮへ送信される逆方向物理チャンネルは、順方向物理チャンネルとは異なって、ＡＴ別に相互に異なる識別符号を有する逆方向物理チャンネルを有する。ＡＴ別逆方向チャンネルは、パイロットチャンネル、逆方向トラフィックチャンネル、逆方向データ送信率制御（Data Rate Control：ＤＲＣ）チャンネル、逆方向送信率指示（Reverse Rate Indicator：ＲＲＩ）チャンネル、及びアクセスチャンネル（Access Channel）などから構成される。ユーザデータパケットは、上記逆方向トラフィックチャンネルを介して送信され、上記アクセスチャンネルは、トラフィックチャンネルが接続される前に、ＡＴがメッセージまたはトラフィックをＡＮへ送信する場合に使用される。上記ＤＲＣチャンネルは、ＡＴが受信可能な最高の送信率をＡＮへ通知するのに使用される。上記ＲＲＩチャンネルは、逆方向トラフィックチャンネルを介して送信されるデータの送信率を通知するのに使用される。
【０００６】
一方、従来のＩＳ−２０００システムの場合、ＡＴは、固有番号（Electronic Serial Number：ＥＳＮ）を用いて識別される。しかしながら、１ｘＥＶ−ＤＯシステムは、ＥＳＮの代わりに、臨時識別子（Unicast Access Terminal Identifier：ＵＡＴＩ）を各ＡＴに割り当て、上記ＵＡＴＩを使用して各ＡＴを識別する。上記ＵＡＴＩは、同一のパケット制御部（Packet Control Function（PCF）entity or Radio Network Controller（RNC））のサービスエリア（coverage area）、すなわち、サブネット（subnet）ごとに定義される。上記ＵＡＴＩは、サブネット識別子部分とＡＴ識別子部分とから構成される。そして、１ｘＥＶ−ＤＯ端末が一つのサブネットから他のサブネットへ移動する場合には、新たなサブネット識別子で構成された新たなＵＡＴＩが割り当てられる。
【０００７】
従って、上記１ｘＥＶ−ＤＯ端末は、システムとのデータのやりとりをするために、まず、ＡＴの識別子に該当するＵＡＴＩの割当てを受けなければならない。上記ＵＡＴＩを受信したＡＴは、物理レイヤーチャンネルを介してＡＮとデータを送受信する方法と、ＭＡＣレイヤーで送信タイプ及びデータフォーマットを設定してデータを送信する方法と、接続レイヤー（Connection layer）で設定された呼を維持し、アイドル（idle）状態でデータを送受信する方法と、伝送制御プロトコル／インターネットプロトコル（Transmission Control Protocol/Internet Protocol：ＴＣＰ／ＩＰ）などのような上位レイヤーデータの分離、再配列、及び再送信を行う方法などで、ＡＮとのデータのやりとりをするための各レイヤーのプロトコル別システムパラメータをネゴシエーションする過程を遂行する。
【０００８】
上記システムパラメータをネゴシエーションする過程において、ＡＴとＡＮとは、あらかじめ定義されたメッセージを交換して、メッセージの交換のために、専用チャンネルを設定する。上記専用チャンネルが、送信に必要とされるパラメータが交換される前に設定されるので、ＡＴとＡＮとは、所定の初期パラメータ（default parameters）を用いて専用トラフィックチャンネルを設定してパラメータネゴシエーションを遂行する。以下、このようにネゴシエーションされたシステムパラメータ及びシステム変数の集合をセッション設定（Session Configuration）と定義する。このようなセッション設定のネゴシエーションを行う過程をセッション設定手順と呼ぶ。上記セッション設定は、一つのセッション、すなわち、ＡＴとＡＮとの間のデータ通信が可能な期間の間に維持され更新される。
【０００９】
ＡＴとＡＮとの間のセッション設定手順は、ＡＴが希望するパラメータをＡＮに要求するＡＴ開始状態（AT initiated state）と、ＡＮが使用を希望するパラメータをＡＴに提案するＡＮ開始状態（AN initiated state）とに区分される。ＡＴまたはＡＮは、一つのシステムパラメータに対して使用されるパラメータ値のリストを設定要求メッセージ（Configuration Request message）を介して送信する。上記設定要求メッセージを受信した側が希望する値が、パラメータ値リスト内にある場合には、上記受信側は、上記希望の値を含む設定応答メッセージ（Configuration Response message）を送信側へ送信する。
しかしながら、上記設定要求メッセージを受信した受信側が希望する値が、パラメータ値リスト内にない場合には、上記受信側は、自身が支援可能な希望のパラメータ値のリストを上記設定応答メッセージを通じて上記送信側へ送信する過程を遂行する。すると、該当システムパラメータは、ＡＴとＡＮとが支援するパラメータ値に設定されることができる。上述したような過程を通じて、ＡＴとＡＮとは、使用されるすべてのプロトコルに対してパラメータネゴシエーションを遂行する。パラメータ設定を要求した側は、受信側へ設定完了メッセージ（Configuration Complete message）を送信して、上記セッション設定過程を終了する。そして、セッション設定が終了されたＡＴとＡＮとは、予め定められた初期パラメータによって設定されたトラフィックチャンネルを解除し、新たにネゴシエーションされたパラメータを使用する。
【００１０】
従来のセッション設定手順は、新たなセッションを設定する度に、上記トラフィックチャンネルの解除及び再設定過程を繰り返す。ＡＴとＡＮとが特定のセッション設定を使用してデータ通信を遂行している間に、現在適用されているセッション設定以外のセッション設定のためのパラメータ値を付加する場合にも、上記トラフィックチャンネルを解除する過程は、上述したように、同一に遂行される。しかしながら、前に設定されたセッションのパラメータが次のセッション設定過程でも使用される場合、すなわち、使用されるパラメータにまったく変化がない場合にも、上述したように、上記トラフィックチャンネルを解除して再設定する反復動作は、不必要なサービス遅延につながり、ユーザのサービス満足度を低下させる。
【００１１】
また、従来のセッション設定手順は、ＡＴとＡＮとがネゴシエーションを完了した後に、格納されているセッション設定を削除することができない。従って、あらかじめ定められた特定のセッションを削除するためには、ＡＴとＡＮとは、ネゴシエーションされる他のセッション設定を待機し、削除されるセッション設定に対して新たにネゴシエーションされたセッション設定を上書きする方法を使用しなければならない。このように不必要なセッション設定が適時に削除されない場合には、ＡＴとＡＮとは、使用されないセッション設定を継続して管理するための動作を不必要に遂行しなければならない。
【００１２】
例えば、これは、ＡＴが他のサブネットへ移動してハンドオフを遂行する場合に該当する。この場合、ＡＮは、以前のサブネットで使用されたセッション設定値を受信しなければならない。従来のシステムの場合、不必要なセッション設定を削除する手順が提供されないために、ＡＴがハンドオフされたＡＮは、不必要なセッション設定まで受信し、従って、時間及びメモリの観点でオーバーヘッドが発生する。
【００１３】
また、従来のセッション設定手順は、ＡＴとＡＮとがネゴシエーションを完了した後に、格納されているセッションパラメータ値を部分的に更新することができない。従って、ＡＴとＡＮとは、特定のセッションを更新するために、セッション設定過程全体をさらに遂行しなければならず、その結果、不必要なメッセージの送受信、及び不必要な時間の無駄につながる。
【発明の開示】
【発明が解決しようとする課題】
【００１４】
上記背景に鑑みて、本発明の目的は、高速パケットデータシステムにおいて、ＡＴとＡＮとの間のセッションがネゴシエーションされる際に反復される手順を短縮することができるＡＴとＡＮとの間のセッションをネゴシエーションする方法、装置、及びシステムを提供することにある。
【００１５】
本発明の他の目的は、高速パケットデータシステムにおいて、ＡＴとＡＮとの間のセッションがネゴシエーションされる際にトラフィックチャンネルを解除する動作を排除することができるＡＴとＡＮとの間のセッションをネゴシエーションする方法、装置、及びシステムを提供することにある。
【００１６】
本発明のさらなる目的は、高速パケットデータシステムにおいて、ＡＴとＡＮとの間のセッション設定のネゴシエーションが完了した場合、特定のセッション設定がＡＮからＡＴに適用されるか否かを示す情報を送信することができるＡＴとＡＮとの間のセッションをネゴシエーションする方法、装置、及びシステムを提供することにある。
【００１７】
本発明のもう一つの目的は、高速パケットデータシステムにおいて、ＡＴとＡＮとの間のセッションがネゴシエーションされる際に、パラメータ値を部分的に更新できるＡＴとＡＮとの間のセッションをネゴシエーションする方法、装置、及びシステムを提供することにある。
【００１８】
本発明のさらに他の目的は、高速パケットデータシステムにおいて、ＡＴとＡＮとの間のセッションがネゴシエーションされる際に、以前のセッション設定を容易に削除できるＡＴとＡＮとの間のセッションをネゴシエーションする方法、装置、及びシステムを提供することにある。
【課題を解決するための手段】
【００１９】
上記のような目的を達成するために、本発明の第１の見地によると、高速パケットデータシステムの基地局でセッション設定のネゴシエーションを遂行する方法は、セッション設定のための端末とのプロトコル別ネゴシエーションを遂行するステップと、付加的なセッション設定が要求されるか否かを示すセッション設定継続ビットと適用されるセッション設定の特性識別子を指示するセッション設定トークンフィールドとを構成するソフト設定完了メッセージを上記端末へ送信するステップと、すべてのセッション設定が完了した場合、現在使用中のセッション設定が変更されたか否かを確認するステップと、上記現在使用中のセッション設定が変更されなかった場合、上記端末と関連した物理チャンネルを維持するステップとを具備することを特徴とする。
【００２０】
本発明の第２の見地によると、高速パケットデータシステムの端末でセッション設定のネゴシエーションを遂行する方法は、セッション設定のための基地局とのプロトコル別ネゴシエーションを遂行するステップと、付加的なセッション設定が要求されるか否かを示すセッション設定継続ビットと適用されるセッション設定の特性識別子を指示するセッション設定トークンフィールドとを構成するソフト設定完了メッセージを上記基地局から受信するステップと、すべてのセッション設定が完了した場合、現在使用中のセッション設定が変更されたか否かを確認するステップと、上記現在使用中のセッション設定が変更されなかった場合、上記基地局と関連した物理チャンネルを維持するステップとを具備することを特徴とする。
【００２１】
本発明の第３の見地によると、高速パケットデータシステムの基地局でセッション設定のネゴシエーションを遂行する方法は、セッション設定のための端末とのプロトコル別ネゴシエーションを遂行するステップと、すべてのセッション設定が完了した場合、新たなセッションが適用されるか否かを示すセッションコミットビットを構成するソフト設定完了メッセージを上記端末へ送信するステップとを具備することを特徴とする。
【００２２】
本発明の第４の見地によると、高速パケットデータシステムの端末でセッション設定のネゴシエーションを遂行する方法は、セッション設定のための基地局とのプロトコル別ネゴシエーションを遂行するステップと、すべてのセッション設定が完了した場合、新たなセッションが適用されるか否かを示すセッションコミットビットを構成するソフト設定完了メッセージを上記基地局から受信するステップとを具備することを特徴とする。
【００２３】
本発明の第５の見地によると、高速パケットデータシステムにおける基地局と端末との間のセッション設定のネゴシエーションを遂行する方法は、上記基地局と上記端末との間のセッション設定のためのプロトコル別ネゴシエーションを遂行するステップと、すべてのセッション設定が完了した場合、新たなセッションが上記基地局に適用されるか否かを示すセッションコミットビットを構成するソフト設定完了メッセージを上記端末へ送信するステップと、上記基地局及び上記端末が、上記ソフト設定完了メッセージのセッションコミットビットを根拠にして、物理チャンネルを維持するか否かを決定するステップとを具備することを特徴とする。
【００２４】
本発明の第６の見地によると、高速パケットデータシステムにおける基地局と端末との間のセッション設定を削除する方法は、上記基地局及び上記端末のうちの送信側から削除されるセッション設定を指示する特性識別子を具備する所定のセッション削除メッセージを受信側へ送信するステップと、上記セッション削除メッセージを受信した上記受信側の上記特性識別子にマッピングされるセッション設定を削除するステップとを具備することを特徴とする。
【００２５】
本発明の第７の見地によると、高速パケットデータシステムにおける基地局と端末との間のセッション設定を更新する方法は、上記基地局及び上記端末のうちの送信側で修正される特定のセッション設定の該当パラメータを使用するプロトコルの設定インスタンスの生成／活性化を行うステップと、上記基地局及び上記端末のうちの受信側が上記送信側から該当設定インスタンスの生成／活性化を行うメッセージを受信するステップと、上記基地局及び上記端末が該当プロトコルで定義されたパラメータネゴシエーションのためのメッセージを用いて更新されるパラメータ値のネゴシエーションを遂行するステップと、上記基地局及び上記端末が更新されたパラメータ値及び該当セッション設定の他のパラメータを該当セッション設定の特性識別子に格納するステップとを具備することを特徴とする。
【００２６】
本発明の第８の見地によると、高速パケットデータシステムにおける基地局と端末との間のセッション設定を更新する方法は、上記基地局と上記端末のうちの送信側から特定の設定属性を更新する要求を他側へ送信するステップと、上記設定属性が上記更新要求を受信した受信側で使用されるか否かを決定して、上記更新要求に対する応答を上記送信側へ送信するステップと、上記更新要求を受信した受信側が上記設定属性の使用を受諾する場合、上記基地局及び上記端末のすべてに上記更新された設定属性を適用するステップとを具備することを特徴とする。
【００２７】
本発明の第９の見地によると、高速パケットデータシステムにおける基地局と端末との間のセッション設定を更新する場合、更新要求を送信する送信側でセッション設定を更新する方法は、更新される上記セッション設定の特定の設定属性を示す所定の設定特性更新要求メッセージを受信側へ送信するステップと、上記更新要求を受信した受信側から上記設定属性が使用されるか否かを示す応答を受信するステップと、上記受信側が上記設定属性の使用を受諾する場合、更新された設定属性を適用するステップとを具備することを特徴とする。
【００２８】
本発明の第１０の見地によると、高速パケットデータシステムにおける基地局と端末との間のセッション設定を更新する場合、更新要求を受信する受信側でセッション設定を更新する方法は、更新される上記セッション設定の特定の設定属性を示す所定の設定特性更新要求メッセージを受信するステップと、上記設定属性が上記設定特性更新要求メッセージを送信した送信側に使用されるか否かを示す応答を送信するステップと、上記受信側が上記設定属性の使用を受諾した場合、更新された設定属性を適用するステップとを具備することを特徴とする。
【００２９】
本発明の第１１の見地によると、基地局と端末との間の少なくとも一つのセッション設定のネゴシエーションを行う高速パケットデータシステムは、プロトコル別に上記少なくとも一つのセッション設定を上記端末とネゴシエーションし、すべてのセッション設定が完了した場合、現在使用中のセッション設定が変更されたか否かを確認し、付加的なセッション設定が要求されるか否かを示すセッション設定継続ビットと適用されるセッション設定の特性識別子を指示するセッション設定トークンフィールドとを構成するソフト設定完了メッセージを上記端末へ送信する基地局と、上記プロトコル別に上記基地局と複数のセッション設定のネゴシエーションを行う端末とを具備し、現在使用中の上記セッションが変更されなかった場合、上記基地局と上記端末との間で、現在設定されている物理チャンネルが維持されることを特徴とする。
【００３０】
本発明の第１２の見地によると、高速パケットデータシステムにおける少なくとも一つの端末と通信するためにセッション設定のネゴシエーションを行う基地局装置は、上記少なくとも一つの端末と無線信号を送受信する基地局送受信器を制御する基地局制御器を含み、上記基地局制御器は、上記少なくとも一つの端末と少なくとも一つのセッション設定に対するネゴシエーションを行った後、すべてのセッション設定が完了した場合、新たなセッションが適用されるか否かを示すセッションコミットビットを構成する所定のソフト設定完了メッセージを上記少なくとも一つの端末へ送信し、現在のセッション設定が継続して使用される場合、上記少なくとも一つの端末と関連した事前に設定された物理チャンネルを維持する制御手段を具備することを特徴とする。
【００３１】
本発明の第１３の見地によると、高速パケットデータシステムにおける基地局と通信するために、セッション設定のネゴシエーションを行う端末装置は、上記基地局と送受信される無線周波数信号の周波数変換のための無線周波数処理部と、上記基地局と送受信されるメッセージの基底帯域信号を処理する変調復調部と、上記基地局と少なくとも一つのセッション設定に対するネゴシエーションを行った後、すべてのセッション設定が完了した場合、新たなセッション設定が適用されるか否かを示すセッションコミットビットを構成する所定のソフト設定完了メッセージを上記基地局から受信し、上記セッションコミットビットを検査した結果に従って、現在のセッション設定が継続して使用される場合、上記基地局と関連した事前に設定された物理チャンネルを維持する制御器とを具備することを特徴とする。
【００３２】
本発明の第１４の見地によると、高速パケットデータシステムにおける少なくとも一つの基地局と通信するために、セッション設定のネゴシエーションを行う基地局装置は、上記少なくとも一つの端末と無線信号を送受信する基地局送受信器を制御する基地局制御器を含み、上記基地局制御器は、上記少なくとも一つの端末と少なくとも一つのセッション設定に対するネゴシエーションを行った後、削除される上記少なくとも一つのセッション設定が少なくとも一つのセッション設定に存在する場合、削除される上記少なくとも一つのセッション設定を指示する特性識別子が含まれた所定のセッション削除メッセージを上記少なくとも一つの端末へ送信し、上記指示された少なくとも一つのセッション設定をメモリから削除する制御手段を具備することを特徴とする基地局装置。
【００３３】
本発明の第１５の見地によると、高速パケットデータシステムにおける基地局と通信するためにセッション設定のネゴシエーションを行う端末装置は、上記基地局と送受信される無線周波数信号の周波数変換のための無線周波数処理部と、上記基地局と送受信されるメッセージの基底帯域信号を処理する変調復調部と、上記基地局と少なくとも一つのセッション設定に対するネゴシエーションを行った後、削除される少なくとも一つのセッション設定を指示する特性識別子を構成する所定のセッション削除メッセージを上記基地局から受信した場合、上記指示された少なくとも一つのセッション設定をメモリから削除する制御器とを具備することを特徴とする。
【００３４】
本発明の第１６の見地によると、高速パケットデータシステムにおける少なくとも一つの受信器と通信するためにセッション設定のネゴシエーションを行う送信装置は、上記少なくとも一つの受信器とデータを送受信する通信インターフェースと、上記通信インターフェースを介して上記少なくとも一つの受信器と少なくとも一つのセッション設定に対するネゴシエーションを行った後、更新される特定のセッション設定のパラメータが生成された場合、該当プロトコルの設定インスタンスの生成／活性化を行う所定の設定インスタンス活性化メッセージを上記少なくとも一つの受信器へ送信する制御手段とを具備することを特徴とする。
【００３５】
本発明の第１７の見地によると、高速パケットデータシステムにおける少なくとも一つの送信器と通信するためにセッション設定のネゴシエーションを行う受信装置は、上記少なくとも一つの送信器とデータを送受信する通信インターフェースと、上記通信インターフェースを介して上記少なくとも一つの送信器と少なくとも一つのセッション設定に対するネゴシエーションを行った後、特定のセッション設定の特定のパラメータを更新するために、該当プロトコルの設定インスタンスの生成／活性化を行うように要求する所定の設定インスタンス活性化メッセージを上記少なくとも一つの送信器から受信した場合、上記少なくとも一つの送信器と更新ターゲットパラメータ値をネゴシエーションする制御手段とを具備することを特徴とする。
【００３６】
本発明の第１８の見地によると、高速パケットデータシステムにおける少なくとも一つの受信器と通信するためにセッション設定のネゴシエーションを行う送信装置は、上記少なくとも一つの受信器とデータを送受信する通信インターフェースと、上記通信インターフェースを介して上記少なくとも一つの受信器と少なくとも一つのセッション設定に対するネゴシエーションを行った後、更新される特定のセッション設定の特定のパラメータが生成された場合、該当パラメータを更新する要求と関連した設定属性値が含まれた所定の設定特性更新要求メッセージを上記少なくとも一つの受信器へ送信し、上記少なくとも一つの受信器から応答メッセージを受信して、上記設定属性値を更新するか否かを決定する制御手段とを具備することを特徴とする。
【００３７】
本発明の第１９の見地によると、高速パケットデータシステムにおける少なくとも一つの送信器と通信するためにセッション設定のネゴシエーションを行う受信装置は、上記少なくとも一つの送信器とデータを送受信する通信インターフェースと、上記通信インターフェースを介して上記少なくとも一つの送信器と少なくとも一つのセッション設定に対するネゴシエーションを行った後、更新される特定のセッション設定の特定のパラメータが生成された場合、該当パラメータを更新する要求と関連した設定属性値が含まれた所定の設定特性更新要求メッセージを上記少なくとも一つの送信器から受信する場合、上記設定属性値を更新するか否かを示す応答メッセージを上記少なくとも一つの送信器へ送信する制御手段とを具備することを特徴とする。
【発明の効果】
【００３８】
本発明の実施形態は、高速パケットデータシステムにおいて、ＡＴとＡＮとの間のセッションがネゴシエーションされる際に反復される手順を短縮させ、これによって、セッション設定／修正時間を大幅短縮させることができる。
【００３９】
また、本発明の実施形態は、ＡＴとＡＮとの間のセッションがネゴシエーションされる際に、トラフィックチャンネルを不必要に解除する動作を排除することができる。
【００４０】
さらに、本発明の実施形態は、ＡＴとＡＮとの間のセッション設定のネゴシエーションが完了した後、特定のセッション設定がＡＮからＡＴに適用されるか否かを示す情報を送信することができる。
【００４１】
なおかつ、本発明の実施形態は、ＡＴとＡＮとの間のセッションがネゴシエーションされる際に、特定のセッション情報の一部パラメータを部分的に更新することができ、全セッションのうちの所望のセッションのみを選択して除去することができる。
【発明を実施するための最良の形態】
【００４２】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００４３】
本発明の実施形態の理解を助けるために、図１を参照して、１ｘＥＶ−ＤＯ（1x Evolution Data Only）システムのような高速パケットデータシステムで遂行される従来のセッション設定過程を説明する。すなわち、図１は、従来の高速パケットデータシステムにおいて、端末（Access Terminal：ＡＴ）１０と基地局（Access Network：ＡＮ）２０との間のセッション設定のネゴシエーションを行う過程を示す。
【００４４】
図１において、ステップＳ１０１乃至ステップＳ１０５で、ＡＮ２０からＡＴ１０に新たな臨時識別子（Unicast Access Terminal Identifier：ＵＡＴＩ）を割り当て、ステップＳ１０７で、ＡＴ１０とＡＮ２０は、初期パラメータ値を用いてトラフィックチャンネルを設定する。ステップＳ１０９で、ＡＮ２０は、上記トラフィックチャンネルを介して設定開始メッセージ（Configuration Start message）をＡＴ１０へ送信する。ＡＴ開始状態（AT initiated state）のセッション設定手順を開始する。
【００４５】
上記ＡＴ開始状態で、ＡＴ１０とＡＮ２０は、ステップＳ１１１及びステップＳ１１３で、設定要求メッセージと設定応答メッセージとをやりとりして、特定のパラメータに対して所望のパラメータ値を設定する。上記所望のパラメータ値の設定が完了されると、ＡＴ１０は、ステップＳ１１５で、ＡＮ２０へ設定完了メッセージを送信してＡＴ開始状態のセッション設定を完了する。ＡＮ開始状態（AN initiated state）のセッション設定手順を開始する。
【００４６】
上記ＡＮ開始状態で、ＡＮ２０は、ステップＳ１１７で、所定の暗号化キー値をＡＴ１０に割り当てる。すると、ステップＳ１１９及びステップＳ１２１で、設定要求メッセージと設定応答メッセージとをやりとりして、特定のパラメータに対して所望のパラメータ値を設定する。上記所望のパラメータ値の設定が完了されると、ＡＮ２０は、ステップＳ１２３で、全セッション設定過程が完了したことを示す設定完了メッセージをＡＴ１０へ送信する。
【００４７】
上記高速パケットデータシステムは、セッション設定のためのパラメータのネゴシエーションの際に、設定属性（Configuration attribute）に基づくデータ構成を使用する。上記設定属性は、パラメータ識別子及びパラメータ値から構成される。パラメータネゴシエーションが遂行されると、ＡＮとＡＴは、該当設定属性を使用してパラメータ値を提案して、該当設定属性の形態で上記ネゴシエーション結果を格納する。
【００４８】
図１に示すような高速パケットデータシステムが、複数のセッションを使用する間にセッション更新を遂行する場合、同一のプロトコルに基づく同一のパラメータ間でも、サブネット別に相互に異なるパラメータ値が使用されることができる。従って、ＡＴは、他のＡＮのサブネットへ移動する場合、上記サブネットにマッピングされる新たなＵＡＴＩの割当てを受けて、新たなセッション設定手順を通してセッション設定を更新する動作を遂行する。このようなセッション設定がネゴシエーションされる際に、すべてのプロトコルに使用されるパラメータに対する要求及び応答が反復されるため、多くの時間が必要とされる。サブネットが変更される場合、ユーザは、長時間の間、サービス中断を経験する。
【００４９】
このような問題を解決するために、ＡＴとＡＮは、初期セッション設定の際に、相互にネゴシエーションして、サブネット別に相互に異なる複数のセッション設定に関する情報を格納した後、サブネットが実際に変更される場合、セッション設定時間を大幅に短縮することができるように、事前に格納されている該当サブネットのセッション設定情報を呼び出して使用する方法が提案される。上述したように、複数のセッションに関する情報をあらかじめ格納しておく方法を複数のセッション設定手順と呼ぶ。
【００５０】
図１のセッション設定手順と同様に、上記複数のセッション設定手順は、ＡＴが希望するパラメータに対する要求をＡＮへ送信するＡＴ開始状態とＡＮが使用することを希望するパラメータをＡＴに提案するＡＮ開始状態とに区分される。ＡＴ又はＡＮは、一つのシステムパラメータに使用されるパラメータ値のリストを設定要求メッセージを通じて送信する。上記設定要求メッセージを受信する側は、自身が希望する値が上記パラメータ値のリストに存在すると、上記希望の値を含む設定応答メッセージを送信側へ送信する。
【００５１】
しかしながら、設定要求メッセージを受信する受信側は、自身が希望する値が上記パラメータ値のリストに存在しないと、上記受信側は、自身が支援可能な希望のパラメータ値のリストを上記設定応答メッセージを通じて上記送信側へ送信する過程を遂行する。すると、該当システムパラメータは、ＡＴとＡＮとの間で支援されるパラメータ値に設定されることができる。
【００５２】
上記ＡＮ開始状態で、すべてのプロトコルに対するパラメータネゴシエーションが完了した場合、ＡＮは、所定のソフト設定完了メッセージ（Soft Configuration Complete message）をＡＴへ送信して、一つのセッション設定に対するネゴシエーションが完了したことをＡＴに通知する。上記ソフト設定完了メッセージは、該当セッション設定を識別する所定の特性識別子（Personality Index）とともに、ＡＴへ送信される。ＡＴとＡＮは、上記完了したセッション設定を該当特性識別子の値にマッピングされるように格納する。
【００５３】
一つのセッション設定が完了した後、他のセッション設定の開始を希望するＡＮは、例えば、所定のセッション設定継続ビットを‘１’に設定する。上記セッション設定継続ビットは、上記メッセージが送信された場合に、上記ソフト設定完了メッセージに含まれる。上記セッション設定継続ビットが‘１’に設定された上記ソフト設定完了メッセージを受信すると、ＡＴは、ＡＴ開始状態へ遷移して、新たなセッション設定を開始し、上述したような過程を繰り返す。
【００５４】
上述したような過程に従って、すべてのセッション設定が完了した場合、ＡＮは、上記セッション設定継続ビットが‘０’に設定された上記ソフト設定完了メッセージをＡＴへ送信して、すべてのセッション設定が完了したことを示す。このとき、上記ソフト設定完了メッセージの複数のセッション設定値のうち、上記セッション設定が完了した後に使用される特性識別子を指示する所定のセッション設定トークン（Session configuration token）が送信される。ＡＴとＡＮは、事前に設定された初期パラメータで設定されたトラフィックチャンネルを解除し、セッション設定トークンにマッピングされるパラメータを各プロトコルに適用する。
【００５５】
上述したように、従来の高速パケットデータシステムにおいて、一つ以上のセッションがネゴシエーションされる場合、上記セッション設定が完了した後に、上記初期パラメータで設定されたトラフィックチャンネルを解除しなければならない。従って、上記セッション設定が遅延する、という問題点があった。
【００５６】
従来の方法とは異なり、本発明の実施形態は、トラフィックチャンネルを解除せずに、新たなセッション設定を付加することができる方法を提案する。本発明の実施形態によると、ＡＴとＡＮは、すべてのセッション設定が完了した後に、使用中のセッション設定が変更されなかったと判断される場合、トラフィックチャンネルを解除せずに、セッション設定のネゴシエーションを完了する。
【００５７】
まず、本発明の実施形態に従って、ＡＴ及びＡＮの基本条件を説明する。
【００５８】
本発明の実施形態が適用される高速パケットデータシステムにおいて、ＡＴは、セッション設定が完了されると、上記セッション設定継続ビットが‘０’に設定されたソフト設定完了メッセージをＡＮから受信する。このとき、一番目の条件で、現在使用中のセッション設定の特性識別子が上記ソフト設定完了メッセージに指示されたセッション設定トークンと同一のセッション設定を指示し、二番目の条件で、現在使用中のセッション設定に他のセッション設定が再設定（overwrite）されない場合、現在使用中のセッション設定が変更されなかったと判断されるので、物理チャンネル、すなわち、トラフィックチャンネルを解除せずに、上記セッション設定のネゴシエーションを完了することができる。また、上記一番目の条件及び上記二番目の条件の他にも、三番目の条件で、ＡＴとＡＮとの間で以前のセッションに対する復元が合意されない場合、上記セッション設定が変更されたか否かを判断した後に、物理チャンネルを解除せずに、上記セッション設定のネゴシエーションを完了することができる。
【００５９】
また、本発明の実施形態が適用される高速パケットデータシステムにおいて、ＡＮは、ＡＴと同一の条件を有する。ＡＮは、上記セッション設定が完了した場合、上記セッション設定継続ビットが‘０’に設定されたソフト設定完了メッセージをＡＴへ送信する。このとき、一番目の条件で、現在使用中のセッション設定の特性識別子が上記ソフト設定完了メッセージに指示されたセッション設定トークンと同一のセッション設定を指示し、二番目の条件で、現在使用中のセッション設定に他のセッション設定が再設定（overwrite）されない場合、トラフィックチャンネルを解除せずに、上記セッション設定のネゴシエーションを完了することができる。また、上記一番目の条件及び上記二番目の条件の他にも、三番目の条件で、ＡＴとＡＮとの間で以前のセッションに対する復元が合意されない場合、上記セッション設定が変更されたか否かを判断した後に、トラフィックチャンネルを解除せずに、上記セッション設定のネゴシエーションを完了することができる。
【００６０】
図２及び図３を参照して、上記基本条件に基づく本発明の実施形態による方法が適用されるＡＮ及びＡＴの動作について説明する。
【００６１】
図２は、本発明の実施形態による高速パケットデータシステムのＡＮでセッション設定のネゴシエーションを行う方法を示すフローチャートである。
【００６２】
ステップＳ２０１で、ＡＮは、一つのセッション設定に対するプロトコル別ネゴシエーションを遂行する。一つのセッション設定に対するネゴシエーションが完了した後、ＡＮは、ステップＳ２０３で、付加的なセッション設定が必要とされるか否かを判断する。付加的なセッションネゴシエーションが必要とされる場合、ＡＮは、ステップＳ２０５で、例えば、セッション設定継続ビットが‘１’に設定されたソフト設定完了メッセージをＡＴへ送信する。ＡＮは、ステップＳ２０７で、直前にネゴシエーションされたセッション設定をソフト設定完了メッセージに記述されている特性識別子に格納する。すると、ＡＮは、ステップＳ２０１へ進行して、次のセッション設定に対するネゴシエーションを行う。
【００６３】
しかしながら、ステップＳ２０３で、すべてのセッション設定が完了したので、ＡＮが付加的なセッションネゴシエーションが必要とされないと判断した場合、ＡＮは、ステップＳ２０９で、例えば、上記セッション設定継続ビットが‘０’に設定されたソフト設定完了メッセージをＡＴへ送信する。すると、ＡＮは、ステップＳ２１１で、直前にネゴシエーションされたセッション設定を上記ソフト設定完了メッセージに記述されている特性識別子に格納する。その後、ＡＮは、ステップＳ２１３で、上述した条件を用いて、現在使用中のセッション設定が変更されたか否かを判断する。
【００６４】
ステップＳ２１３で、ＡＮは、上述したような３通りの条件を考慮する。現在使用中のセッション設定の特性識別子が上記ソフト設定完了メッセージに指示されたセッション設定トークンと同一のセッション設定を指示し、現在使用中のセッション設定の特性識別子が以前のセッションネゴシエーション過程で更新されず、ＡＴとＡＮとの間で以前のセッションに対する復元がネゴシエーションされなかった場合、ＡＮは、現在使用中のセッション設定が変更されなかったと判断した後に、上記セッション設定過程を終了する。
【００６５】
しかしながら、ステップＳ２１３で、ＡＮは、上記３通りの条件のうちのいずれか１つでも満足されない場合、現在使用中のセッション設定が変更されたと判断した後、ステップＳ２１５で、現在使用中のセッション設定で設定されたトラフィックチャンネルを解除してＡＴへの接続を中断する。ステップＳ２１７で、ＡＮは、新たに変更されたセッション設定、すなわち、上記ソフト設定完了メッセージに記述されているセッション設定トークンにマッピングされるセッション設定を適用する。
【００６６】
図３は、本発明の実施形態による高速パケットデータシステムのＡＴでセッション設定のネゴシエーションを行う方法を示すフローチャートである。
【００６７】
まず、ステップＳ３０１で、ＡＴは、一つのセッション設定に対するプロトコル別ネゴシエーションを遂行する。ＡＴは、ステップＳ３０３で、ソフト設定完了メッセージが受信されるまで、ステップＳ３０１のセッション設定のネゴシエーションを遂行する。ステップＳ３０３で、上記ソフト設定完了メッセージが受信された場合、ＡＴは、ステップＳ３０５で、該当ソフト設定完了メッセージのセッション設定継続ビットが‘０’に設定されたか否かを確認して、すべてのセッション設定が完了したか否かを判断する。
【００６８】
上記判断の結果、上記セッション設定継続ビットが‘１’に設定される場合、すなわち、上記すべてのセッション設定が完了されていない場合、ＡＴは、直前にネゴシエーションされたセッション設定をソフト設定完了メッセージに記述されている特性識別子に格納する。その後、ＡＴは、ステップＳ３０１へ進行して、次のセッション設定に対するネゴシエーションを遂行する。しかしながら、ステップＳ３０３で、ＡＴが、上記セッション設定継続ビットが‘０’に設定されたソフト設定完了メッセージを受信する場合、ＡＴは、ステップＳ３０９で、直前にネゴシエーションされたセッション設定を上記ソフト設定完了メッセージに記述されている特性識別子に格納する。その後、ＡＴは、ステップＳ３１１で、現在使用中のセッション設定が変更されたか否かを判断する。
【００６９】
ステップＳ３１１で、ＡＴは、上述したような３通りの条件を考慮する。現在使用中のセッション設定の特性識別子が上記ソフト設定完了メッセージに指示されたセッション設定トークンと同一のセッション設定を指示する場合、現在使用中のセッション設定の特性識別子が以前のセッションネゴシエーション過程で更新されず、ＡＴとＡＮとの間で以前のセッションに対する復元がネゴシエーションされなかった場合、ＡＴは、現在使用中のセッション設定が変更されなかったと判断した後に、上記セッション設定過程を終了する。
【００７０】
しかしながら、ステップＳ３１１で、ＡＴは、上記３通りの条件のうちのいずれか１つでも満足されない場合、現在使用中のセッション設定が変更されたと判断した後、ステップＳ３１３で、現在使用中のセッション設定で設定されたトラフィックチャンネルを解除してＡＮへの接続を中断する。ステップＳ３１５で、ＡＴは、新たに変更されたセッション設定、すなわち、上記ソフト設定完了メッセージに記述されているセッション設定トークンにマッピングされるセッション設定を適用する。
【００７１】
以下、本発明の他の実施形態によるセッション設定方法を説明する。
【００７２】
本実施形態において、ＡＴは、現在使用中のセッション設定が変更されたか否かを判断するのではなく、ＡＮは、上記セッション設定が適用されるか否かを示す情報を指定する。本方法において、ＡＮは、セッション設定のネゴシエーションが完了した後、特定のセッション設定が適用されるか否かを示すことができる。ＡＮが特定のセッション設定の適用を指示する場合、ＡＴは、物理チャンネルを解除し、ＡＮが指定したセッション設定を使用する。しかしながら、ＡＮが特定のセッション設定の適用を指示しない場合、ＡＴは、物理チャンネルを解除せずに、上記セッション設定のネゴシエーションを完了する。
【００７３】
例えば、１ｘＥＶ−ＤＯに基づくＡＴについて説明する。上記セッション設定のネゴシエーションが完了されて、セッション設定継続ビットが‘０’に設定されたソフト設定完了メッセージが受信される場合、ＡＴは、セッション設定継続ビットとともに送信されたコミットフィールド（Commit field）の所定のセッションコミットビット（Commit bit）を読み出して、特定のセッションが適用されるか否かを判断する。上記セッションコミットビットが‘１’に設定される場合、ＡＴは、上記ソフト設定完了メッセージとともに送信されたセッション設定トークンに該当する特性識別子のセッション設定を適用する。このような過程で、物理チャンネルは、解除される可能性がある。しかしながら、上記セッションコミットビットが‘０’に設定された上記ソフト設定完了メッセージを受信したＡＴは、上記物理チャンネルを解除せずに、現在使用中のセッション設定を継続して維持する。
【００７４】
例えば、１ｘＥＶ−ＤＯに基づくＡＮについて説明する。セッション設定のネゴシエーションが完了されると、上記セッション設定継続ビットが‘０’に設定されたソフト設定完了メッセージを送信する。このとき、特定の特性識別子にマッピングされるセッション設定が上記セッション設定のネゴシエーションの後に適用される場合、上記ソフト設定完了メッセージのセッションコミットビットを‘１’に設定し、適用される上記特性識別子に該当するセッション設定トークンとともに、上記ソフト設定完了メッセージを送信する。この後、上記送信されたセッション設定トークンに該当する特性識別子のセッション設定を適用する。このような過程で、上記物理チャンネルは、解除される可能性がある。しかしながら、上記セッション設定のネゴシエーションの後にも、現在使用中のセッション設定を継続して使用することを希望する場合、ＡＮは、上記セッションコミットビットが‘０’に設定された上記ソフト設定完了メッセージを送信し、現在使用中のセッション設定を継続して維持する。
【００７５】
下記の＜表１＞は、特定のセッション設定がＡＮに適用されるか否かを示すために提案されたソフト設定完了メッセージのフィールドの構成例を示す。
【００７６】
【表１】
2008523657.tif 000003
【００７７】
＜表１＞において、メッセージ識別子（Message ID）フィールドは、相互に異なるメッセージを識別するために使用され、ソフト設定完了メッセージを示すメッセージ識別子として設定される。処理識別子（Transaction ID）フィールドは、相互に異なるソフト設定完了メッセージを識別するために使用される識別子である。新たなソフト設定完了メッセージが構成される度に、１ずつ増加した値を２５６（２８）で割った余りを指定して、上記処理識別子フィールドへ送信する。上記特性識別子格納（Personality Index Store）フィールドは、ネゴシエーションされたセッション設定を格納する特性識別子を指示する。
【００７８】
セッション設定のネゴシエーションが開始された後に、受信されたソフト設定完了メッセージが最初のソフト設定完了メッセージである場合、ＡＴは、上記セッション設定のネゴシエーションが開始される時点から上記ソフト設定完了メッセージが受信されるまで、ネゴシエーションされたセッション設定値を指示された特性識別子に格納する。そして、受信された上記ソフト設定完了メッセージが最初のソフト設定完了メッセージでない場合、ＡＴは、以前のソフト設定完了メッセージが受信される時点から現在のソフト設定完了メッセージが受信されるまで、ネゴシエーションされたセッション設定値を指示された特性識別子に格納する。
【００７９】
上記セッション設定のネゴシエーションが開始された後に、送信されたソフト設定完了メッセージが最初のソフト設定完了メッセージである場合、ＡＮは、上記セッション設定のネゴシエーションが開始される時点から上記ソフト設定完了メッセージが送信されるまで、ネゴシエーションされたセッション設定値を指示された特性識別子に格納する。そして、送信された上記ソフト設定完了メッセージが最初のソフト設定完了メッセージでない場合、ＡＮは、以前のソフト設定メッセージが送信される時点から現在のソフト設定メッセージが送信されるまで、ネゴシエーションされたセッション設定値を指示された特性識別子に格納する。
【００８０】
＜表１＞において、セッション設定継続（Continue）フィールドは、新たな特性識別子にマッピングされるセッション設定が継続されるか否かを示す。上記継続フィールドが‘１’の値を有する場合、新たな特性識別子にマッピングされるセッション設定が継続される。上記継続フィールドが‘０’の値を有する場合、上記セッション設定を終了する。＜表１＞において、セッションコミットフィールドは、特定のセッション設定を適用（Commit）するか否かを示す。上記コミットフィールドは、上記継続フィールドが‘０’の値を有するときにのみメッセージ内に含まれる。
【００８１】
上記コミットフィールドが‘１’の値を有する場合、ＡＴとＡＮは、＜表１＞のセッション設定トークン（Session Configuration Token）フィールドが示す特性識別子にマッピングされるセッション設定を使用する。この場合、ＡＴとＡＮは、物理チャンネルを解除する。上記セッション設定トークンフィールドは、適用される特性識別子を指示し、上記コミットフィールドが‘１’の値を有するときにのみ、メッセージ内に含まれる。ＡＴとＡＮは、上記セッション設定トークンフィールドの上位４ビットと同一の値を有する特性識別子にマッピングされるセッション設定を使用する。本実施形態において、上記セッション設定トークンフィールドは、望ましくは、１６ビットに設定される。特性識別子は、４ビットに設定されるが、上記特性識別子のビット数は、可変である。
【００８２】
次いで、図４及び図５を参照して、本発明の他の実施形態によるセッション設定方法をさらに詳細に説明する。
【００８３】
図４は、本発明の他の実施形態による高速パケットデータシステムのＡＮで遂行されるセッション設定過程を示すフローチャートである。特に、図４は、物理チャンネルが不必要に解除されないセッション設定手順でＡＮの動作を示す。
【００８４】
ステップＳ４０１で、ＡＮは、一つのセッション設定に対するプロトコル別ネゴシエーションを遂行する。一つのセッション設定に対するネゴシエーションが完了した後に、ＡＮは、ステップＳ４０３で、付加的なセッション設定が必要とされるか否かを判断する。付加的なセッションネゴシエーションが必要とされる場合、ＡＮは、ステップＳ４０５で、上記継続ビットが‘１’に設定されたソフト設定完了メッセージを送信する。ここで、上記ソフト設定完了メッセージは、セッションが設定される度にＡＴへ送信される。上記ソフト設定完了メッセージを送信したＡＮは、ステップＳ４０７で、直前にネゴシエーションされたセッション設定を上記ソフト設定完了メッセージに記述されている特性識別子に格納する。その後、ＡＮは、ステップＳ４０１へ進行して、次のセッション設定のネゴシエーションを遂行する。
【００８５】
一方、ステップＳ４０３で、すべてのセッション設定が完了されて付加的なセッションネゴシエーションが必要ないと判断したＡＮは、ステップＳ４０９で、特定のセッションを新たに適用するか否かを判断する。上記特定のセッションが新たに適用されると、ＡＮは、ステップＳ４１１で、上記継続ビットが‘０’に設定され、上記コミットフィールドが‘１’に設定されたソフト設定完了メッセージをＡＴへ送信する。この後、ＡＮは、ステップＳ４１３で、直前にネゴシエーションされたセッション設定を上記ソフト設定完了メッセージに記述されている特性識別子に格納する。すると、ステップＳ４１５で、ＡＮは、現在使用中のセッション設定で設定された物理チャンネルを解除した後、ステップＳ４１７で、新たに変更されたセッション設定、すなわち、上記ソフト設定完了メッセージに記述されているセッション設定トークンにマッピングされるセッション設定を適用した後、上記セッション設定過程を終了する。
【００８６】
しかしながら、上記判断の結果、ステップＳ４０９で、新たなセッションが適用される必要がない場合、ＡＮは、ステップＳ４１９で、上記継続ビットが‘０’に設定され、上記コミットフィールドが‘０’に設定されたソフト設定完了メッセージをＡＴへ送信する。すると、ステップＳ４２１で、ＡＮは、直前にネゴシエーションされたセッション設定を上記ソフト設定完了メッセージに記述されている特性識別子に格納した後、上記物理チャンネルを解除せずに、上記セッション設定過程を終了する。上述した実施形態によると、ＡＮは、上記セッション設定のネゴシエーションが完了した後、特定のセッション設定が適用されるか否かを示す情報をＡＴへ送信することができ、以前のセッション設定が変更されない場合、既存の物理チャンネルをそのまま保持することができる。
【００８７】
図５は、本発明の他の実施形態による高速パケットデータシステムのＡＴで遂行されるセッション設定過程を示すフローチャートである。特に、図５は、物理チャンネルが不必要に解除されないセッション設定手順でＡＴの動作を示す。
【００８８】
ステップＳ５０１で、ＡＴは、一つのセッション設定に対するプロトコル別ネゴシエーションを遂行する。一つのセッション設定に対するネゴシエーションが完了した場合、ＡＴは、ステップＳ５０３で、ソフト設定完了メッセージを受信する。ステップＳ５０３で、上記ソフト設定完了メッセージが受信された場合、ＡＴは、ステップＳ５０５で、該当ソフト設定完了メッセージの継続ビットが‘０’に設定されたか否かを判断する。上記継続ビットが‘１’に設定された場合、ＡＴは、ステップＳ５０７で、直前にネゴシエーションされたセッション設定を上記ソフト設定完了メッセージに記述されている特性識別子に格納する。すると、ＡＴは、ステップＳ５０１へ進行して、新たなセッション設定のためのネゴシエーション手順を遂行する。
【００８９】
一方、ステップＳ５０５で、上記継続ビットが‘０’に設定されたソフト設定完了メッセージが受信されると、ＡＴは、すべてのセッション設定が完了したと判断する。この後、ＡＴは、ステップＳ５０９で、直前にネゴシエーションされたセッション設定を上記ソフト設定完了メッセージに記述されている特性識別子に格納する。すると、ステップＳ５１１で、ＡＴは、コミットビットの値を検査して、新たなセッション設定を使用するか否かを判断する。ステップＳ５１１で、上記コミットビットの値が‘１’である場合、ＡＴは、ステップＳ５１３で、現在使用中のセッション設定で設定された物理チャンネルを解除して、ＡＮへの接続を中断する。ＡＴは、ステップＳ５１５で、新たに変更されたセッション設定、すなわち、上記ソフト設定完了メッセージに記述されているセッション設定トークンにマッピングされるセッション設定を適用する。
【００９０】
ステップＳ５１１で、上記コミットビットの値が‘０’である場合、ＡＴは、現在使用中のセッション設定で設定された物理チャンネルを解除せずに、すぐ上記セッション設定過程を終了する。上述した実施形態によると、ＡＴは、ＡＮから受信された、特定のセッション設定が適用されるか否かを示す情報に基づいて、上記特定のセッション設定を使用することができ、以前のセッション設定が変更されない場合、既存の物理チャンネルをそのまま保持することができる。
【００９１】
次いで、本発明の実施形態によって、ＡＴとＡＮとの間でネゴシエーションされた事前に格納されているセッション設定を削除する方法を説明する。
【００９２】
本発明の実施形態で提案される方法において、ＡＮは、事前に格納されているセッション設定を除去するように、セッション設定過程を開始せずに、削除されるセッションの特性識別子（Personality IDまたはPersonality Index）と処理識別子（Transaction ID）とを含むセッション削除メッセージ（Delete Session message）を送信する。上記セッション削除メッセージを受信したＡＴは、指示された特性識別子にマッピングされるセッション情報をメモリから削除する。上記セッション削除メッセージの送受信は、上記セッション設定のネゴシエーションの間には、遂行されない。
【００９３】
下記の＜表２＞は、本発明に従って事前に格納されているセッション設定を除去するためのセッション削除メッセージの構成例を示す。
【００９４】
【表２】
2008523657.tif 000004
【００９５】
＜表２＞において、メッセージ識別子（Message ID）フィールドは、セッション削除メッセージを識別するためのメッセージ識別子の値を示す。処理識別子（Transaction ID）フィールドは、ネットワーク状況によって反復して送信されるか、または遅延して送信されるセッション削除メッセージの順序を識別するために使用される。上記セッション削除メッセージを送信する度に、ＡＮは、上記処理識別子フィールドの値、例えば、１ずつ増加させる。
【００９６】
＜表２＞において、特性識別子カウント（Personality Count）フィールドは、上記セッション削除メッセージ内の削除される特性識別子の個数（例えば、特性識別子の個数−１）を示す。上記特性識別子フィールドは、削除されるセッション設定にマッピングされる特性識別子を指示する。ＡＮから上記セッション削除メッセージを受信したＡＴは、メッセージに含まれた特性識別子にマッピングされる少なくとも一つのセッション設定を削除する。
【００９７】
上記セッション削除メッセージを受信したＡＴは、指示されたセッション設定を削除し、応答メッセージをＡＮへ送信する。ＡＮは、ＡＴが上記応答メッセージを受信することによって、上記セッション設定を削除したか否かを確認することができる。このようにして、上記セッション設定削除が安定して遂行されることができる。この場合、ＡＮは、上記応答メッセージを受信した後、ＡＴが上記セッション設定を削除したことを確認した場合、自身のセッション設定を削除する。
【００９８】
次いで、本発明の実施形態によって、ＡＴとＡＮとの間でネゴシエーションされた事前に格納されているセッション設定を更新（修正）する方法について説明する。
【００９９】
従来技術では、ＡＴとＡＮとの間でセッションネゴシエーション過程を遂行して、格納されている複数のセッション設定のうちの特定のセッション設定を更新するための方法が定義されていなかった。従って、ＡＴとＡＮが特定のセッション設定に含まれている一部パラメータ値の修正を希望するときでさえも、上記セッションネゴシエーションステップをすべて遂行しなければならない。例えば、ＡＴとＡＮがセッション設定１、２、及び３を格納しており、セッション設定２の特定のパラメータＡの値の更新を希望する場合、従来技術では、セッション設定２が有するすべてのパラメータに対するセッションネゴシエーション過程を再遂行しなければならない。
【０１００】
本発明は、ＡＴとＡＮとの間で従来のセッションネゴシエーション過程をすべて再遂行する必要がなく、特定のセッション設定の特定のパラメータを更新できる方法を提案する。本発明が提案する方法において、特定のパラメータの更新を要求するＡＮ（またはＡＴ）は、格納されているセッション設定値を修正するために、該当セッション設定で修正されるパラメータを使用するプロトコルを生成するか、または活性化する。すると、ターゲットＡＴ（またはターゲットＡＮ）は、後述する設定インスタンス活性化メッセージを送信し、該当セッション設定の該当パラメータを使用するプロトコルを生成するか、又は活性化する。
【０１０１】
この後、パラメータの更新を要求したＡＮ（またはＡＴ）及び上記更新要求を受信したＡＴ（またはＡＮ）は、生成されるか又は活性化されるプロトコルで定義されているパラメータネゴシエーションのための公知のメッセージを使用して、該当プロトコルのパラメータ値を更新する。例えば、上記公知のメッセージは、属性更新要求メッセージ（Attribute Update Request message）、属性更新受諾メッセージ（Attribute Update Accept message）、属性更新拒否メッセージ（Attribute Update Reject message）、設定要求メッセージ（Configuration Request message）、及び設定応答メッセージ（Configuration Response message）である。上記パラメータネゴシエーションのためのメッセージは、プロトコルごとに定義されている。上記更新過程が終了された後に、上記更新を要求したＡＮ（またはＡＴ）及び上記ターゲットＡＴ（またはターゲットＡＮ）は、該当プロトコルの更新されたパラメータ及び該当セッション設定の他のパラメータを特性識別子に格納して、上記セッション設定の更新を完了する。
【０１０２】
本発明の実施形態が適用される高速パケットデータシステムにおいて、ＡＮ（またはＡＴ）は、セッション設定のネゴシエーションを通じて事前に格納されている特定のセッション設定の一部パラメータ（または、設定属性（Configuration Attribute））を更新するために、該当セッション情報の該当パラメータを使用するプロトコルの設定インスタンス（InConfiguration instance）を生成するか、または活性化する。上記プロトコルの設定インスタンスは、上記プロトコルが定義するパラメータの値及びプロトコル動作で設定された一つの独立した実行単位である。上記生成されるか、又は活性化される設定インスタンスは、該当プロトコルで使用されるパラメータをネゴシエーションするのに使用され、パラメータネゴシエーションのための最小の動作のみを定義している。
【０１０３】
ＡＮが特定のセッション設定の一部パラメータ（または設定属性）の更新を開始する場合、該当パラメータを使用するプロトコルの設定インスタンスを生成して活性化するために、本発明で定義された設定インスタンス活性化メッセージをＡＴへ送信する。上記設定インスタンス活性化メッセージがうまく送信された場合、ＡＮは、該当プロトコルの設定インスタンスと関連して定義された上記パラメータネゴシエーションのためのメッセージを用いて、パラメータ値を修正するためにＡＴとネゴシエーションする。上記パラメータ値のネゴシエーションが完了した後、ＡＮは、更新されたパラメータ値及び該当セッション設定の他のパラメータを該当セッション設定の特性識別子に格納する。
【０１０４】
この場合、ＡＮから設定インスタンス活性化メッセージを受信した後、ＡＴは、上記設定インスタント活性化メッセージに記述されている特性識別子と関連した特定のプロトコルの設定インスタンスを生成するか、または活性化する。この後、ＡＴは、該当プロトコルで定義されたパラメータネゴシエーションのためのメッセージを用いて修正されるパラメータ値をネゴシエーションする。上記パラメータ値のネゴシエーションが完了した後、ＡＴは、更新されたパラメータ値及び該当セッション設定の他のパラメータを該当セッション設定の特性識別子に格納する。
【０１０５】
本発明が適用される高速パケットデータシステムにおいて、ＡＴが特定のセッション設定のパラメータ（または設定属性）の更新を開始する場合、ＡＴは、事前に格納されている特定のセッション設定の一部パラメータ（または、設定属性）を更新するために、該当セッション設定の該当パラメータを使用するプロトコルの設定インスタンスを生成するか、または活性化する。ＡＴは、ＡＮで該当セッション設定の該当パラメータを使用するプロトコルの設定インスタンスを生成するか、または活性化するために、本発明で定義される設定インスタンス活性化メッセージをＡＮへ送信する。上記設定インスタンス活性化メッセージがうまく送信された場合、ＡＴは、該当プロトコルの設定インスタンスと関連して定義された上記パラメータネゴシエーションのためのメッセージを用いて、パラメータ値を修正するためにＡＮとのネゴシエーションを行う。上記パラメータ値のネゴシエーションが完了した後、ＡＴは、更新されたパラメータ値及び該当セッション設定の他のパラメータを該当セッション設定の特性識別子に格納する。
【０１０６】
この場合、ＡＴが送信した設定インスタンス活性化メッセージを受信した後、ＡＮは、上記設定インスタンス活性化メッセージに記述されている特性識別子と関連した特定のプロトコルの設定インスタンスを生成するか、または活性化する。すると、ＡＮは、該当プロトコルで定義されたパラメータネゴシエーションのためのメッセージを用いて、修正されるパラメータ値をネゴシエーションする。上記パラメータ値のネゴシエーションが完了した後、ＡＮは、更新されたパラメータ値及び該当セッション設定の他のパラメータを該当セッション設定の特性識別子に格納する。
【０１０７】
次いで、図６及び図７を参照して、本発明の実施形態によるセッション更新方法をさらに詳細に説明する。
【０１０８】
図６は、本発明の実施形態による高速パケットデータシステムにおいて、セッション設定を更新する場合、設定インスタンス活性化メッセージを送信する側の動作を示すフローチャートである。
【０１０９】
まず、ステップＳ６０１で、ＡＴ（またはＡＮ）が事前に格納されている特定のセッション設定の一部パラメータの更新を希望する場合、ＡＴ（またはＡＮ）は、修正される特定のセッション設定の該当パラメータを使用するプロトコルの設定インスタンスを生成するか、または活性化する。上記更新を開始したＡＴ（またはＡＮ）は、ステップＳ６０３で、ターゲットＡＮ（またはターゲットＡＴ）で特定のセッション設定の該当パラメータを使用するプロトコルの設定インスタンスを生成するかまたは活性化するために、本発明で定義される設定インスタンス活性化メッセージをターゲットＡＮ（またはターゲットＡＴ）へ送信する。
【０１１０】
上記設定インスタンス活性化メッセージがうまく送信された場合、ＡＴ（またはＡＮ）は、ステップＳ６０５で、該当プロトコルの設定インスタンスと関連して定義されるパラメータネゴシエーションのためのメッセージを用いて、修正されるパラメータ値に対して、ターゲットＡＮ（またはターゲットＡＴ）とのネゴシエーションを行う。ステップＳ６０７で、上記パラメータ値のネゴシエーションが完了されると、ＡＴ（またはＡＮ）は、ステップＳ６０９で、更新されたパラメータ値及び該当セッション設定の他のパラメータを該当セッション設定の特性識別子に格納する。
【０１１１】
図７は、本発明の実施形態による高速パケットデータシステムにおいて、セッション設定が更新される場合、設定インスタンス活性化メッセージを受信する側の動作を示すフローチャートである。
【０１１２】
セッション設定の特定のパラメータの更新を要求したＡＴ（またはＡＮ）から設定インスタンス活性化メッセージを受信すると、ターゲットＡＮ（またはターゲットＡＴ）は、ステップＳ７０１で、上記受信された設定インスタンス活性化メッセージに含まれている特性識別子及びプロトコルタイプと関連した特定のセッション設定の更新ターゲットプロトコルの設定インスタンスを生成するか、または活性化する。
【０１１３】
この後、ターゲットＡＮ（またはターゲットＡＴ）は、ステップＳ７０３で、該当プロトコルで定義されるパラメータネゴシエーションのためのメッセージを用いて、修正されるパラメータ値に対して更新を要求したＡＴ（またはＡＮ）とのネゴシエーションを行う。ステップＳ７０５で、上記パラメータ値のネゴシエーションが完了した後、ターゲットＡＮ（またはターゲットＡＴ）は、ステップＳ７０７で、更新されたパラメータ値及び該当セッション設定の他のパラメータを該当セッション設定の特性識別子に格納する。
【０１１４】
次いで、本発明の他の実施形態によって、ＡＴとＡＮとの間のネゴシエーションを通じて事前に格納されているセッション設定を更新（修正）する方法について説明する。
【０１１５】
本発明の他の実施形態において、ＡＴ（またはＡＮ）は、特定の設定属性を更新する要求（以下、“設定特性更新要求メッセージ（Personality Update Request message）”と称する）をターゲットＡＮ（またはターゲットＡＴ）へ送信する。ここで、上記設定属性は、特性識別子によって指示された特定のセッション設定のプロトコルタイプ（Protocol Type）を規定する。
【０１１６】
ターゲットＡＮ（またはＡＴ）が該当設定属性値を使用するか否かを決定して、要求された設定属性値の使用を希望する場合、上記更新要求に対する受諾を示す応答（以下、“設定特性更新受諾メッセージ（Personality Update Accept message）”と称する）を上記更新を要求したＡＴ（またはＡＮ）へ送信する。しかしながら、要求された設定属性値が使用されない場合、上記更新要求に対する拒否を示す応答（以下、“設定特性更新拒否メッセージ（Personality Update Reject message）”と称する）を上記更新を要求したＡＴ（またはＡＮ）へ送信する。従って、ＡＴ又はＡＮは、上述した動作を反復することによって、事前に格納されている設定属性値を更新することができる。
【０１１７】
下記の＜表３＞は、本発明でセッション設定の更新のために提案される上記設定特性更新要求メッセージのフィールドの構成例を示す。
【０１１８】
【表３】
2008523657.tif 000005
【０１１９】
＜表３＞において、上記メッセージ識別子（Message ID）フィールドは、メッセージタイプを示し、上記設定特性更新要求メッセージにマッピングされる識別子として設定される。上記処理識別子（Transaction ID）フィールドは、一対の上記設定特性更新要求メッセージとその応答メッセージとを識別するのに使用される。上記更新要求に対する応答メッセージ（すなわち、設定特性更新受諾／拒否メッセージ）を受信したＡＮ又はＡＴは、上記応答メッセージに含まれた処理識別子を識別し、上記応答メッセージを同一の処理識別子を有する設定特性更新要求メッセージに対する応答として判断する。
【０１２０】
＜表３＞において、上記特性識別子フィールドは、更新要求と関連した設定属性に対する特性識別子を指示するのに使用される。上記プロトコルタイプフィールドは、上記更新要求と関連した設定属性がどんなプロトコルタイプに属するかを示すのに使用される。上記更新を要求するＡＮ又はＡＴは、上記特性識別子の上記プロトコルタイプで更新される少なくとも一つの設定属性を＜表３＞の属性レコード（Attribute Record）フィールドに記述して、上記メッセージを送信する。
【０１２１】
本実施形態によって、上記属性レコードフィールドが構成される場合、ＡＮまたはＡＴが、一つの設定属性に対して一つの設定属性値のみを提案するように制限されることができる。また、上記設定特性更新要求メッセージを送信するＡＮまたはＡＴは、現在使用中の特性識別子のセッション設定が上記設定特性更新要求メッセージを用いて更新されることができないように制限されることもある。そして、少なくとも二つの設定属性が上記設定特性更新要求メッセージに含まれて送信されることができない。
【０１２２】
一方、上記設定特性更新要求メッセージを受信したＡＴ（またはＡＮ）は、相手方ＡＮ（またはＡＴ）が提案した設定属性値を使用するか否かを判断した後、上記設定特性更新受諾メッセージ又は設定特性更新拒否メッセージを応答メッセージとして送信する。下記の＜表４＞及び＜表５＞は、上記設定特性更新要求メッセージに対する応答メッセージに該当する上記設定特性更新受諾メッセージ及び上記設定特性更新拒否メッセージのフィールド構成の各々を示す。
【０１２３】
【表４】
2008523657.tif 000006
【０１２４】
【表５】
2008523657.tif 000007
【０１２５】
上記設定特性更新受諾メッセージ及び上記設定特性更新拒否メッセージは、メッセージ識別子フィールドと処理識別子フィールドとを含む同一のフィールド構成を有する。上記二つのメッセージは、記述された処理識別子にマッピングされた設定属性の更新要求に対する受諾及び拒否を示すために、相手方ＡＮ又はＡＴへ送信する。上記二つのメッセージが同一のフィールド構成を有するが、相互に異なるメッセージ識別子を有するので、相手方ＡＮ又はＡＴは、二つのメッセージを識別することができる。
【０１２６】
次いで、図８及び図９を参照して、本発明の他の実施形態によるセッション更新方法をさらに詳細に説明する。
【０１２７】
図８は、本発明の他の実施形態による高速パケットデータシステムにおいて、セッション設定が更新される場合、設定特性更新要求メッセージを送信する側の動作を示すフローチャートである。
【０１２８】
まず、セッション設定の更新を希望するＡＮ（またはＡＴ）は、＜表３＞に示すような設定特性更新要求メッセージを送信する。このために、事前に格納されているセッション設定の更新を希望するＡＮ（またはＡＴ）は、ステップＳ８０１で、該当セッション設定の特性識別子を識別し、更新対象設定特性が属するプロトコルタイプを識別して、例えば、＜表３＞に示すような設定特性更新要求メッセージを生成する。その後、ステップＳ８０３で、上記更新を要求するＡＮ（またはＡＴ）は、上記設定特性更新要求メッセージをターゲットＡＴ（またはターゲットＡＮ）へ送信する。
【０１２９】
上記更新を要求した後に、ＡＮ（またはＡＴ）は、ステップＳ８０５及びステップＳ８０７で、ターゲットＡＴ（またはターゲットＡＮ）から受信される応答メッセージを待機する。このとき、ＡＮ（またはＡＴ）が上記応答メッセージを受信しない場合、所定の待機時間を超過したか否かを確認する。上記所定の待機時間が超過されない場合、ステップＳ８０５へ進行して、待機動作を継続的に遂行する。しかしながら、ステップＳ８０９で、上記所定の待機時間の間に、上記応答メッセージがターゲットＡＴ（またはターゲットＡＮ）から受信されない場合、ステップＳ８１１で、上記更新を要求するＡＮ（またはＡＴ）は、該当更新要求を放棄するか否かを判断する。
【０１３０】
ステップＳ８１１で、ＡＮ（またはＡＴ）が該当更新要求を放棄しない場合、ステップＳ８０３へ進行して、上記設定特性更新要求メッセージを再送信する。しかしながら、ＡＮ（またはＡＴ）が該当更新要求を放棄する場合、上記セッション設定を更新する動作は終了される。一方、ステップＳ８０７で、所定の待機時間内に、上記応答メッセージがターゲットＡＴ（またはターゲットＡＮ）から受信される場合、上記更新を要求するＡＮ（またはＡＴ）は、ステップＳ８１３で、該当応答メッセージが上記更新要求を受諾する設定特性更新受諾メッセージであるか、又は、上記更新要求を拒否する設定特性更新拒否メッセージであるかを確認する。
【０１３１】
上記確認の結果、ステップＳ８１３で、上記応答メッセージが上記設定特性更新受諾メッセージである場合、上記更新を要求するＡＮ（またはＡＴ）は、ステップＳ８１５で、上記設定特性更新要求メッセージで提案された設定属性値を使用する。しかしながら、上記確認の結果、ステップＳ８１３で、上記応答メッセージが上記設定特性更新拒否メッセージである場合、ステップＳ８１７で、既存の設定属性値を継続して維持し、使用する。
【０１３２】
図９は、本発明の他の実施形態による高速パケットデータシステムにおいて、セッション設定が更新される場合、設定特性更新要求メッセージを受信する側の動作を示すフローチャートである。
【０１３３】
上記設定特性更新要求メッセージを受信したターゲットＡＴ（またはターゲットＡＮ）は、ステップＳ９０１で、上記設定特性更新要求メッセージで提案された設定属性値を使用するか否かを決定する。ターゲットＡＴ（またはターゲットＡＮ）が上記提案された設定属性値の使用を希望する場合、ステップＳ９０５で、該当パラメータの既存の設定属性値を提案された設定属性値に更新する。すると、ステップＳ９０７で、上記更新を要求するＡＮ（またはＡＴ）へ設定特性更新受諾メッセージを送信する。提案された設定属性値が使用されない場合、ターゲットＡＴ（またはターゲットＡＮ）は、ステップＳ９０９で、該当パラメータの既存の設定属性値を保持する。その後、ステップＳ９１１で、上記更新を要求するＡＮ（またはＡＴ）へ設定特性更新拒否メッセージを送信する。
【０１３４】
上述した本実施形態によると、ＡＮ（又はＡＴ）は、特定のパラメータに対する設定属性値を更新する要求を相手方ＡＴ又はＡＮへ送信する。上記要求が受諾されると、すべてのパラメータに対するセッションネゴシエーション過程を再遂行せずに、特定のパラメータのみを指定して更新することができる。
【０１３５】
次いで、図１０を参照して、図２乃至図９に関連して説明されたセッションの設定／更新／削除方法が適用される通信システムの構成を説明する。
【０１３６】
図１０は、本発明の実施形態が適用される高速パケットデータシステムの構成を示すブロック図である。例えば、図１０は、１ｘＥＶ−ＤＯ網の構成を示す。
【０１３７】
図１０の通信システムは、ユーザのＡＴ１１００と、ＡＴ１１００と無線網を介してデータを送受信するＡＮ１２００とを含む。ＡＮ１２００は、１ｘＥＶ−ＤＯ網の無線アクセスネットワーク（Radio Access Network：ＲＡＮ）を構成する基地局送受信器（Access Network Transceiver System：ＡＮＴＳ）１２３０と基地局制御器（Access Network Controller：ＡＮＣ）１２５０とから構成される。ＡＮ１２００は、ＡＴ１１００のＩＰ網接続のためのＰＰＰセッションを管理するパケットデータサービングノード（Packet Data Serving Node：ＰＤＳＮ）に接続される。ＩＰ網から受信された順方向データをＡＮ１２００を介してＡＴ１１００へ送信し、ＡＮ１２００を介して受信されたＡＴ１１００の逆方向データをＩＰ網へ送信する。
【０１３８】
図１０において、ＡＴ１１００及びＡＮ１２００は、図２乃至図９で提案された方法でセッションネゴシエーションを遂行し、セッションの設定／更新／削除を行う所定のセッションネゴシエーションアルゴリズムを備える。ＡＮ１２００のＡＮＣ１２５０だけではなく、パケットフローを制御するＰＣＦエンティティも、上記セッションネゴシエーションを制御することができる。以下、広義の意味で、ＡＮ１２００がＰＣＦエンティティを含むと仮定する。
【０１３９】
まず、図１０のＡＴ１１００は、無線信号を送受信するためのアンテナ１１１０と、送信される信号の周波数をアップコンバーティングするか、または、受信された信号の周波数をダウンコンバーティングすることによって、従来の無線周波数（Radio Frequency：ＲＦ）処理を遂行するＲＦ処理部１１３０と、送信される信号を符号化して変調するか、または、受信された信号を復調して復号化する基底帯域信号を処理する変調復調部（モデム部）１１５０とを備える。ＡＴ１１００の制御器１１７０は、パケットデータを送受信するための全般的な制御動作を遂行するだけではなく、ＡＮ１２００と通信するために必要とされるセッションをネゴシエーションして、セッション情報の設定／更新／削除を行う動作を制御する。
【０１４０】
制御器１１７０は、ＡＮ１２００とのセッションネゴシエーションのために、セッションネゴシエーション関連情報を指定されたメッセージフォーマットで生成するか、または、受信されたメッセージからセッションネゴシエーション関連情報を抽出する。また、制御器１１７０は、セッション情報の設定／更新／削除を行う動作及び上記セッション情報と関連したパラメータに従って、内部メモリ又は特定のメモリ（図示せず）を構成する該当情報の格納／更新／削除を行う。
【０１４１】
図１０のＡＮ１２００で、ＡＮＴＳ１２３０は、アンテナ１２１０を介してＡＴ１１００と無線信号を送受信する。さらに、ＡＮＴＳ１２３０は、図示していないが、メッセージまたはユーザデータを送受信するＲＦ処理器と、受信されたメッセージまたはユーザデータを格納するデータキュー（data queue）と、キュー別データ量、ＡＴ１１００のチャンネル状況、サービス特性、及び公平性（fairness）などを考慮して、特定のユーザまたはキューのデータを選択して送信する制御器とを含む。このような構成要素は、本発明の要旨とは直接的な関連がないので、詳細な説明を省略する。
【０１４２】
図１０のＡＮ１２００で、ＡＮＣ１２５０の制御器１２５１は、ＡＴ１１００と無線通信を遂行する複数のＡＮＴＳ１２３０の動作を制御し、無線リソースを管理する。制御器１２５１は、ＡＴ１１００へ送信されるセッションネゴシエーションのための各種メッセージをセッション制御及び移動性管理部（Session Control/Mobility Management entity：ＳＣ／ＭＭエンティティ）１２５３から受信し、上記受信されたメッセージをＡＮＴＳ１２３０へ送信する。制御器１２５１は、ＡＴ１１００からセッションネゴシエーションのための各種メッセージをＡＮＴＳ１２３０を介して受信し、上記受信されたメッセージをＳＣ／ＭＭエンティティ１２５３へ送信する。また、制御器１２５１は、該当ＡＴ１１００に接続されたＡＮＴＳ１２３０を選択し、ＰＤＳＮから受信されたデータを送信する。制御器１２５１は、ＡＴ１１００から受信されたデータをＰＤＳＮへ送信する。
【０１４３】
ＳＣ／ＭＭエンティティ１２５３は、ＡＴ１１００とのセッションネゴシエーションのために、所定のメッセージフォーマットでセッションネゴシエーション関連情報を生成するか、または、受信されたメッセージからセッションネゴシエーション関連情報を抽出する。また、ＳＣ／ＭＭエンティティ１２５３は、セッション情報の設定／更新／削除を行う動作及び上記セッション情報と関連したパラメータに従って、内部メモリ又は特定のメモリ（図示せず）を構成する該当情報の格納／更新／削除を行う。
【０１４４】
一方、ＡＴ１１００とのセッションネゴシエーションがＡＮＣではないＰＣＦエンティティで制御される場合、ＳＣ／ＭＭエンティティ１２５３は、ＰＣＦエンティティに備えられることができる。説明の便宜上、ＡＮＣまたはＰＣＦエンティティに備えられるＳＣ／ＭＭエンティティ１２５３は、ＡＮ１２００のＳＣ／ＭＭエンティティ１２５３と称する。
【０１４５】
以下、図１０の通信システムにおいて、ＡＴ１１００とＡＮ１２００との間のセッションネゴシエーション動作を実施形態を参照して説明する。
【０１４６】
まず、第１の実施形態に該当する図２及び図３の実施形態の場合、ＡＴ１１００の制御器１１７０は、セッション設定が完了した後、継続ビットが‘０’に設定されたソフト設定完了メッセージをＡＮ１２００から受信する。現在使用中のセッション設定の特性識別子が上記ソフト設定完了メッセージに指示されたセッション設定トークンと同一のセッション設定を指示し、現在使用中のセッション設定に他のセッション設定が再設定（overwrite）されたか否かを判断する。上記判断の結果、現在使用中のセッション設定が変更されなかった場合、物理チャンネル、すなわち、トラフィックチャンネルを解除せずに、上記セッション設定のネゴシエーションを終了する。また、ＡＴ１１００の制御器１１７０は、付加的な条件で、ＡＴとＡＮとの間で、以前のセッションに対する復元が合意されない場合、上記トラフィックチャンネルを解除せずに、上記セッション設定のネゴシエーションを完了することができる。
【０１４７】
また、ＡＮ１２００のＳＣ／ＭＭエンティティ１２５３がＡＴ１１００と関連したすべてのセッション設定を完了して、付加的なセッションネゴシエーションが必要とされないと判断した場合、現在使用中のセッション設定の特性識別子が上記ソフト設定完了メッセージに指示されたセッション設定トークンと同一のセッション設定を指示し、現在使用中のセッション設定の特性識別子が以前のセッションネゴシエーション過程で再設定されたか否かを判断する。上記判断の結果、現在使用中のセッション設定が変更されなかった場合、ＳＣ／ＭＭエンティティ１２５３は、物理チャンネル、すなわち、トラフィックチャンネルを解除せずに、上記セッション設定のネゴシエーションを終了する。しかしながら、上述した条件が満足されない場合、ＡＴ１１００とＡＮ１２００は、現在使用中のセッション設定が変更され、現在使用中のセッション設定で設定されたトラフィックチャンネルを解除し、新たに変更されるセッション設定を使用する。
【０１４８】
そして、第２の実施形態に該当する図４及び図５の実施形態の場合、ＡＮ１２００のＳＣ／ＭＭエンティティ１２５３は、セッション設定が適用されるか否かを示す情報を指定し、上記指定された情報をＡＴ１１００へ送信する。ＡＴ１１００の制御器１１７０は、すべてのセッション設定が完了した後、例えば、継続ビットが‘０’に設定されたソフト設定完了メッセージをＡＮ１２００から受信する。その後、＜表１＞に示すように、上記継続ビットとともに送信されたコミットフィールド（Commit field）を確認して、特定のセッション設定が適用されるか否かを判断することができる。ＡＮ１２００のＳＣ／ＭＭエンティティ１２５３が特定のセッション設定の適用を指示する場合、ＡＴ１１００は、トラフィックチャンネルを解除し、ＡＮ１２００が指示したセッション設定を使用する。上記特定のセッション設定の適用を指示しない場合、ＡＴ１１００は、トラフィックチャンネルを解除せずに、上記セッション設定のネゴシエーションを完了する。
【０１４９】
上記セッション設定のネゴシエーションが完了されると、ＡＮ１２００のＳＣ／ＭＭエンティティ１２５３は、上記継続ビットが‘０’に設定されたソフト設定完了メッセージを送信する。このとき、特定の特性識別子にマッピングされるセッション設定がネゴシエーションされて適用される場合、ＳＣ／ＭＭエンティティ１２５３は、‘１’に設定されたコミットビットと適用される特性識別子にマッピングされるセッション設定トークンとを含むソフト設定完了メッセージをＡＴ１１００へ送信する。この後、ＡＮ１２００は、上記送信されたセッション設定トークンにマッピングされる特性識別子のセッション設定を使用する。このような過程で、上記トラフィックチャンネルは解除される。しかしながら、上記ネゴシエーションの後にも、現在使用中のセッション設定の継続的な使用を希望する場合、ＡＮ１２００のＳＣ／ＭＭエンティティ１２５３は、上記コミットビットが‘０’に設定されたソフト設定完了メッセージをＡＴ１１００へ送信し、現在使用中のセッション設定を継続して維持する。
【０１５０】
そして、第３の実施形態は、ＡＴ１１００及びＡＮ１２００に事前に格納されているセッション設定を除去するためのものであって、ＡＮ１２００のＳＣ／ＭＭエンティティ１２５３は、設定されたセッション情報が削除されることができるように、＜表２＞に示すように、削除されるセッションの特性識別子と処理識別子（Transaction ID）とを含むセッション削除メッセージをＡＴ１１００へ送信する。上記セッション削除メッセージを受信すると、ＡＴ１１００の制御器１１７０は、上記特性識別子にマッピングされるセッション情報をメモリから削除する。ここで、削除されるセッション設定の個数は、＜表２＞の特性識別子カウント（Personality Count）フィールドに指定されることができる。上記特性識別子カウントフィールドに、削除される複数のセッション設定が指定されることもある。
【０１５１】
また、上記セッション削除メッセージを受信するＡＴ１１００の制御器１１７０は、指示されたセッション設定を削除し、応答メッセージをＡＮ１２００へ送信する。上記応答メッセージを受信すると、ＡＮ１２００のＳＣ／ＭＭエンティティ１２５３は、ＡＴ１１００のセッション設定削除を識別し、自身のセッション設定を削除する。
【０１５２】
第４の実施形態に該当する図６及び図７の実施形態の場合、特定のセッション設定の特定のパラメータの更新を希望するＡＴ１１００（または、ＡＮ１２００）は、上記特定のセッション設定の更新ターゲットパラメータ（または、設定属性）を使用するプロトコルの設定インスタンスを生成するか、または活性化することができるように、設定インスタンス活性化メッセージをターゲットＡＮ１２００（または、ターゲットＡＴ１１００）へ送信する。この後、上記更新を希望するＡＴ１１００（またはＡＮ１２００）は、該当プロトコルの設定インスタンスと関連して定義されるパラメータネゴシエーションのための所定のメッセージを用いて、更新ターゲットパラメータに対してターゲットＡＮ１２００（または、ターゲットＡＴ１１００）とネゴシエーションする。上記更新ターゲットパラメータ値のネゴシエーションが完了した後、上記更新を希望するＡＴ１１００（または、ＡＮ１２００）は、上記ネゴシエーションされたパラメータ値及び該当セッション設定の他のパラメータを該当セッション設定の特性識別子に格納する。
【０１５３】
上記設定インスタンス活性化メッセージを受信したターゲットＡＮ１２００（または、ターゲットＡＴ１１００）は、設定インスタンス活性化メッセージに指示される特性識別子にマッピングされた更新対象プロトコルの設定インスタンスを生成するか、または活性化する。パラメータ値のネゴシエーションが完了した後、ターゲットＡＮ１２００（または、ターゲットＡＴ１１００）は、上記ネゴシエーションされて更新されたパラメータ値及び該当セッション設定の他のパラメータを該当セッション設定の特性識別子に格納する。
【０１５４】
第５の実施形態に該当する図８及び図９の実施形態の場合について説明する。特定のセッション設定の特定のパラメータに対する設定属性値の更新を希望する場合、ＡＴ１１００（またはＡＮ１２００）は、該当設定属性に対する更新を要求するために、＜表３＞に示すような設定特性更新要求メッセージをターゲットＡＮ１２００（または、ターゲットＡＴ１１００）へ送信する。ここで、上記設定属性は、特性識別子によって指示される特定のセッション設定のプロトコルを規定する。更新される設定属性値は、＜表３＞の属性レコード（Attribute Record）フィールドを通して送信される。
【０１５５】
ターゲットＡＮ１２００（または、ターゲットＡＴ１１００）が上記設定特性更新要求メッセージを受信する場合、該当設定属性値を使用するか否かを決定し、上記要求された設定属性値の使用を希望する場合、上記更新要求を受諾する設定特性更新受諾メッセージを上記更新を要求するＡＴ１１００（またはＡＮ１２００）へ送信する。しかしながら、ターゲットＡＮ１２００（または、ターゲットＡＴ１１００）が上記要求された設定属性値を使用しない場合、上記更新要求を拒否する設定特性更新拒否メッセージを上記更新を要求するＡＴ１１００（または、ＡＮ１２００）へ送信する。従って、ＡＴ１１００またはＡＮ１２００は、反復動作を通して、事前に格納されている設定属性値を更新することができる。
【０１５６】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１５７】
【図１】従来の高速パケットデータシステムにおいて、ＡＴとＡＮとの間のセッション設定のネゴシエーションを行う過程を示す図である。
【図２】本発明の実施形態による高速パケットデータシステムのＡＮで遂行されるセッション設定のネゴシエーションを行う方法を示すフローチャートである。
【図３】本発明の実施形態による高速パケットデータシステムのＡＴで遂行されるセッション設定のネゴシエーションを行う方法を示すフローチャートである。
【図４】本発明の他の実施形態による高速パケットデータシステムのＡＮで遂行されるセッション設定のネゴシエーションを行う方法を示すフローチャートである。
【図５】本発明の他の実施形態による高速パケットデータシステムのＡＴで遂行されるセッション設定のネゴシエーションを行う方法を示すフローチャートである。
【図６】本発明の実施形態による高速パケットデータシステムにおいて、セッション設定を更新する場合、設定インスタンス活性化メッセージを送信する側の動作を示すフローチャートである。
【図７】本発明の実施形態による高速パケットデータシステムにおいて、セッション設定を更新する場合、設定インスタンス活性化メッセージを受信する側の動作を示すフローチャートである。
【図８】本発明の他の実施形態による高速パケットデータシステムにおいて、セッション設定を更新する場合、設定特性更新要求メッセージを送信する側の動作を示すフローチャートである。
【図９】本発明の他の実施形態による高速パケットデータシステムにおいて、セッション設定を更新する場合、設定特性更新要求メッセージを受信する側の動作を示すフローチャートである。
【図１０】本発明が適用される高速パケットデータシステムの構成を示すブロック図である。
【符号の説明】
【０１５８】
１１００  ＡＴ
１１１０  アンテナ
１１３０  ＲＦ処理器
１１５０  モデム部
１１７０  制御器
１２００  ＡＮ
１２１０  アンテナ
１２３０  ＡＮＴＳ
１２５０  ＡＮＣ／ＰＣＦ
１２５１  制御器
１２５３  ＳＣ／ＭＭ
【図１】
2008523657.tif 000008
【図２】
2008523657.tif 000009
【図３】
2008523657.tif 000010
【図４】
2008523657.tif 000011
【図５】
2008523657.tif 000012
【図６】
2008523657.tif 000013
【図７】
2008523657.tif 000014
【図８】
2008523657.tif 000015
【図９】
2008523657.tif 000016
【図１０】
2008523657.tif 000017
【国際調査報告】
2008523657.tif 000018
2008523657.tif 000019